(57)【要約】【課題】ネットワーク上に設けられたすべての伝送装置をインバンドで遠隔監視すると共に、監視用の網敷設におけるコストを削減する。【解決手段】  ネットワークシステム１は、ネットワーク監視装置２０と、直列的に接続された複数の伝送装置１０とを備える。ネットワーク監視装置２０は、第１の伝送装置１０Ａと接続され、監視実施ノード数と監視方向とを第１の伝送装置１０Ａに送信し、第１の伝送装置１０Ａは、監視対象の伝送装置を特定可能なホップ数を、伝送すべき主信号と共に、監視方向に対して順方向の伝送装置１０に送信し、これを受信した伝送装置１０は、ホップ数に基づき自装置が監視対象であるか否かを判断し、監視対象である場合に、自装置の監視情報を主信号と共に、第１の伝送装置１０Ａ側の伝送装置１０に送信し、第１の伝送装置１０Ａは、監視対象の伝送装置の監視情報をネットワーク監視装置２０に送信する。【選択図】図１
2014121029.tif 000002
【特許請求の範囲】
【請求項１】
ネットワーク監視装置と、直列的に接続された複数の伝送装置とを備え、前記ネットワーク監視装置により前記複数の伝送装置の監視情報を定期的に収集して、前記複数の伝送装置に対して遠隔監視を実施するネットワークシステムであって、
前記複数の伝送装置のうち所定の第１の伝送装置と前記ネットワーク監視装置とが直接的に接続され、
前記ネットワーク監視装置は、前記遠隔監視の監視対象となる伝送装置の総数を示す監視実施ノード数と、前記第１の伝送装置に対して前記監視対象となる伝送装置が接続される方向を示す監視方向とを前記第１の伝送装置に対して送信し、
前記第１の伝送装置は、監視対象となる伝送装置を特定可能なホップ数を、伝送すべき主信号と共に、前記監視方向に対して順方向に接続された伝送装置に対して送信し、
前記ホップ数及び主信号を受信した伝送装置は、前記ホップ数に基づき、自装置が監視対象であるか否かを判断し、前記監視対象であると判断した場合に、自装置の監視情報を前記主信号と共に、前記第１の伝送装置側に隣接する、前記監視方向に対して逆方向に接続された伝送装置に対して送信し、前記監視対象ではないと判断した場合に、前記ホップ数をデクリメントし、該デクリメントしたホップ数を、前記主信号と共に、前記監視方向に対して順方向に接続された伝送装置に対して送信し、
前記第１の伝送装置は、受信した前記監視対象となる伝送装置の監視情報を、前記ネットワーク監視装置に対して送信し、
前記ネットワーク監視装置は、前記監視対象となる伝送装置の監視情報を受信することを特徴とするネットワークシステム。
【請求項２】
前記伝送装置は、
自装置の監視情報を収集する状態監視制御部と、
受信した順方向の信号からホップ数及び監視情報を抽出する第１の信号抽出部と、
前記第１の信号抽出部で抽出されたホップ数に基づき、自装置が前記監視対象であるか否かを判断すると共に、前記状態監視制御部で収集された前記自装置の監視情報及び前記第１の信号抽出部で抽出された監視情報のいずれかを選択し、前記抽出されたホップ数及び前記選択された監視情報を含む監視制御信号を生成する第１の信号生成部と、
受信した逆方向の信号からホップ数及び監視情報を抽出する第２の信号抽出部と、
前記第２の信号抽出部で抽出されたホップ数に基づき、自装置が前記監視対象であるか否かを判断すると共に、前記状態監視制御部で収集された前記自装置の監視情報及び前記第２の信号抽出部で抽出された監視情報のいずれかを選択し、前記抽出されたホップ数及び前記選択された監視情報を含む監視制御信号を生成する第２の信号生成部と、
前記第１又は第２の信号生成部から供給される監視制御信号を、前記主信号と共に順方向に隣接する伝送装置に対して送信する第１の送信部と、
前記第１又は第２の信号生成部から供給される監視制御信号を、前記主信号と共に逆方向に隣接する伝送装置に対して送信する第２の送信部とを備え、
前記第１又は第２の信号生成部は、
自装置が前記監視対象であると判断した場合に、前記自装置の監視情報を選択すると共に、前記第１又は第２の信号抽出部で抽出されたホップ数をデクリメントし、前記選択された監視情報及び前記デクリメントしたホップ数を含む前記監視制御信号を生成し、生成した前記監視制御信号を前記第２又は第１の送信部に対して供給し、
自装置が前記監視対象でないと判断した場合に、前記第１又は第２の信号抽出部で抽出された監視情報を選択すると共に、前記第１又は第２の信号抽出部で抽出されたホップ数をデクリメントし、前記選択された監視情報及び前記デクリメントしたホップ数を含む前記監視制御信号を生成し、生成した前記監視制御信号を前記第１又は第２の送信部に対して供給することを特徴とする請求項１に記載のネットワークシステム。
【請求項３】
前記第１の伝送装置における前記状態監視制御部は、
前記監視対象の伝送装置を指定するためのホップ数カウンタを有し、
前記遠隔監視を実施する際に前記ホップ数カウンタの値を「１」に設定し、
前記監視対象の監視情報を受信した場合に、前記監視対象の監視情報を前記ネットワーク監視装置に対して送信すると共に、前記ホップ数カウンタの値をインクリメントし、
前記ホップ数カウンタの値が前記遠隔監視の監視対象となる伝送装置の総数を超えた場合に、前記値を「１」に設定することを特徴とする請求項１又は２に記載のネットワークシステム。
【請求項４】
直列的に接続された複数の伝送装置の監視情報を定期的に収集して、前記複数の伝送装置に対して遠隔監視を実施するネットワーク監視装置であって、
前記複数の伝送装置のうち所定の第１の伝送装置と接続され、
前記遠隔監視の監視対象となる伝送装置の総数を示す監視実施ノード数と、前記第１の伝送装置に対して前記監視対象となる伝送装置が接続される方向を示す監視方向とを前記第１の伝送装置に対して送信し、
前記第１の伝送装置から、前記監視対象となる伝送装置の監視情報を受信することを特徴とするネットワーク監視装置。
【請求項５】
自装置の監視情報を収集し、遠隔監視を実施するネットワーク監視装置に対して前記収集した監視情報を送信する伝送装置であって、
複数の伝送装置が互いに直列的に接続されると共に、前記複数の伝送装置のうち所定の第１の伝送装置が前記ネットワーク監視装置と直接的に接続され、
前記第１の伝送装置は、監視対象となる伝送装置を特定可能なホップ数を、伝送すべき主信号と共に、自装置に対して前記監視対象となる伝送装置が接続される方向を示す監視方向に対して順方向に接続された他の伝送装置に対して送信し、
前記ホップ数及び主信号を受信した他の伝送装置は、前記ホップ数に基づき、自装置が監視対象であるか否かを判断し、前記監視対象であると判断した場合に、自装置の監視情報を前記主信号と共に、前記第１の伝送装置側に隣接する、前記監視方向に対して逆方向に接続された他の伝送装置に対して送信し、前記監視対象ではないと判断した場合に、前記ホップ数をデクリメントし、該デクリメントしたホップ数を、前記主信号と共に、前記監視方向に対して順方向に接続された他の伝送装置に対して送信し、
前記第１の伝送装置は、受信した前記監視対象となる伝送装置の監視情報を、前記ネットワーク監視装置に対して送信することを特徴とする伝送装置。
【請求項６】
ネットワーク監視装置と、直列的に接続された複数の伝送装置とを備え、前記ネットワーク監視装置により前記複数の伝送装置の監視情報を定期的に収集して、前記複数の伝送装置に対して遠隔監視を実施するネットワークシステムの監視情報収集方法であって、
前記複数の伝送装置のうち所定の第１の伝送装置と直接的に接続された前記ネットワーク監視装置により、前記遠隔監視の監視対象となる伝送装置の総数を示す監視実施ノード数と、前記第１の伝送装置に対して前記監視対象となる伝送装置が接続される方向を示す監視方向とが前記第１の伝送装置に対して送信され、
前記第１の伝送装置により、監視対象となる伝送装置を特定可能なホップ数が、伝送すべき主信号と共に、前記監視方向に対して順方向に接続された伝送装置に対して送信され、
前記ホップ数及び主信号を受信した伝送装置により、前記ホップ数に基づき、自装置が監視対象であるか否かが判断され、前記監視対象であると判断された場合に、自装置の監視情報が前記主信号と共に、前記第１の伝送装置側に隣接する、前記監視方向に対して逆方向に接続された伝送装置に対して送信され、前記監視対象ではないと判断された場合に、前記ホップ数がデクリメントされ、該デクリメントされたホップ数が、前記主信号と共に、前記監視方向に対して順方向に接続された伝送装置に対して送信され、
前記第１の伝送装置により、受信した前記監視対象となる伝送装置の監視情報が前記ネットワーク監視装置に対して送信され、
前記ネットワーク監視装置により、前記監視対象となる伝送装置の監視情報が受信されることを特徴とする監視情報収集方法。
【発明の詳細な説明】
【技術分野】
【０００１】
本発明は、ネットワークシステム、ネットワーク監視装置及び伝送装置、並びに監視情報収集方法に関し、特に、監視対象の各伝送装置の状態に関する監視情報を収集するシステム、ネットワーク監視装置及び伝送装置、並びに収集方法に関する。
【背景技術】
【０００２】
従来、複数の伝送装置間で音声信号や各種データを伝送するネットワークシステムにおいては、伝送装置に対してネットワークを監視するためのネットワーク監視装置が接続され、各々の伝送装置の装置内警報や通信警報、通信品質、メンテナンス状態等を示す監視情報を収集することにより、ネットワークの監視が行われている。
【０００３】
ネットワーク監視装置によるネットワーク監視の方法としては、例えば、複数の伝送装置間で各種信号をやりとりするための主信号回線とは異なる回線（以下、「アウトバンド」とする）を用いて監視情報を収集する方法と、主信号回線（以下、「インバンド」とする）を用いて監視情報を収集する方法とに大別される。
【０００４】
例えば、特許文献１には、ネットワーク上に設けられた、直列的に接続された複数の伝送装置の監視をアウトバンドで行うことが記載されている。図１４に示すように、このネットワークシステム１００は、複数の伝送装置１１０、１１０、・・・と、ネットワーク監視装置１２０とで構成される。
【０００５】
この例では、４台の伝送装置１１０Ａ〜１１０Ｄが接続され、各々の伝送装置１１０Ａ〜１１０Ｄは、隣接する伝送装置と光ケーブル等で接続され、音声信号や各種データを多重、分離、中継して伝送する。また、各伝送装置１１０Ａ〜１１０Ｄは、自装置内で発生した警報や、通信警報、通信品質、自装置内の状態等を定期的に収集し、ネットワーク監視装置１２０からの問い合わせに応じて、これらの情報を監視情報として通知する。
【０００６】
ネットワーク監視装置１２０は、各々の伝送装置１１０とＬＡＮ（Local Area Network）ケーブル等のアウトバンドの回線で接続され、このアウトバンドの回線を用いて通知された監視情報に基づき、各伝送装置１１０の監視を行う。
【０００７】
また、特許文献２には、複数回線を収容する伝送装置の監視をインバンドで行うことが記載されている。図１５に示すように、このネットワークシステム２００は、複数の伝送装置２１０、２１０、・・・と、ネットワーク監視装置２２０とで構成される。
【０００８】
この例では、２台の伝送装置２１０Ａ及び２１０Ｂが４つの光ケーブル等の回線２３０Ａ〜２３０Ｄで接続される。また、伝送装置２１０Ａには、ＬＡＮケーブル２４０によりネットワーク監視装置２２０が接続される。
【０００９】
ネットワーク監視装置２２０は、接続された伝送装置２１０Ａと対向する伝送装置２１０Ｂに対して遠隔監視を行うために、送出周期毎に順番に変化する通し番号を監視情報に対して付与し、この監視情報を伝送装置２１０Ａから複数の回線２３０Ａ〜２３０Ｄを介して伝送装置２１０Ｂに対して一斉に送出する。そして、伝送装置２１０Ａは、伝送装置２１０Ｂから送出された、通し番号が付与された監視情報を、複数の回線２３０Ａ〜２３０Ｄを介して受信し、通し番号が付与された監視情報が少なくとも１つの回線から受信された場合に、受信した監視情報を取り込む。
【００１０】
さらに、特許文献３には、直列的に接続された複数の伝送装置をインバンドで監視することが記載されている。図１６に示すように、このネットワークシステム３００は、複数の伝送装置３１０Ａ、３１０Ｂ、・・・、３１０Ｎ−１、３１０Ｎが直列的に接続され、伝送装置３１０Ｎには、各伝送装置３１０を監視制御するためのネットワーク監視装置３２０が接続される。
【００１１】
ネットワークシステム３００において、伝送装置３１０は、各伝送装置３１０間で終端されるデータ通信チャネル（ＤＣＣ：Data Communication Channel）を生成及び終端すると共に、ＤＣＣに含まれる監視制御用のＯＳＩ（Open System Interconnection）パケットを終端し、また、監視制御用の情報をＤＣＣ間でルーティングする。
【００１２】
ＤＣＣは、ＳＤＨ（Synchronous Digital Hierarchy）信号上のＳＤＨオーバーヘッドにおけるセクションオーバーヘッド（ＳＯＨ；Section Over Head）の一部を使用し、伝送装置３１０を監視制御するためのＯＳＩパケット及びＩＰ（Internet Protocol）パケットの伝送を行う。
【００１３】
各伝送装置３１０は、アドレス情報やルーティングテーブル等を記憶するアドレス情報管理用メモリを有し、このメモリの容量の範囲内ですべての伝送装置３１０のアドレス情報を管理し、各伝送装置３１０間で監視制御を行うためのルーティングを可能とする。
【先行技術文献】
【特許文献】
【００１４】
【特許文献１】特開２００１−３２０３７１号公報
【特許文献２】特許第４３３１６３７号公報
【特許文献３】特許第４６７４１８１号公報
【発明の概要】
【発明が解決しようとする課題】
【００１５】
しかし、特許文献１に記載のネットワークシステムでは、新たに伝送装置を設置する際に、ネットワーク監視装置と接続するための主信号回線とは異なるアウトバンドの回線を別途敷設する必要があるため、回線の敷設工事等のコストがかかるという問題があった。
【００１６】
また、特許文献２に記載のネットワークシステムでは、ネットワーク監視装置と対向する伝送装置の監視を行うことができるが、遠隔監視を行うために挿入される信号は、ネットワーク監視装置と、ネットワーク監視装置に接続された伝送装置との間でのみやりとりされる信号であるため、インバンドで監視可能な伝送装置は、ネットワーク監視装置に接続された伝送装置のみに限定される。
【００１７】
そのため、複数の伝送装置が接続されるネットワークにおいては、ネットワーク監視装置に接続された伝送装置の先に接続された他の伝送装置をインバンドで監視することができないという問題があった。
【００１８】
さらに、特許文献３に記載のネットワークシステムでは、各伝送装置に設けられたアドレス情報管理用メモリの容量の範囲内でアドレス情報を管理し、すべての伝送装置間での監視制御用情報をルーティングするため、管理可能な伝送装置の数は、アドレス情報管理用メモリのメモリ容量と、ルーティング情報の検索速度によって制限されるという問題があった。
【００１９】
そこで、本発明は、上記従来の技術における問題点に鑑みてなされたものであって、ネットワーク上に設けられたすべての伝送装置をインバンドで遠隔監視すると共に、監視用の網敷設におけるコストを削減することが可能なネットワークシステム、ネットワーク監視装置及び伝送装置、並びに監視情報収集方法を提供することを目的とする。
【課題を解決するための手段】
【００２０】
上記目的を達成するため、本発明は、ネットワーク監視装置と、直列的に接続された複数の伝送装置とを備え、前記ネットワーク監視装置により前記複数の伝送装置の監視情報を定期的に収集して、前記複数の伝送装置に対して遠隔監視を実施するネットワークシステムであって、前記複数の伝送装置のうち所定の第１の伝送装置と前記ネットワーク監視装置とが直接的に接続され、前記ネットワーク監視装置は、前記遠隔監視の監視対象となる伝送装置の総数を示す監視実施ノード数と、前記第１の伝送装置に対して前記監視対象となる伝送装置が接続される方向を示す監視方向とを前記第１の伝送装置に対して送信し、前記第１の伝送装置は、監視対象となる伝送装置を特定可能なホップ数を、伝送すべき主信号と共に、前記監視方向に対して順方向に接続された伝送装置に対して送信し、前記ホップ数及び主信号を受信した伝送装置は、前記ホップ数に基づき、自装置が監視対象であるか否かを判断し、前記監視対象であると判断した場合に、自装置の監視情報を前記主信号と共に、前記第１の伝送装置側に隣接する、前記監視方向に対して逆方向に接続された伝送装置に対して送信し、前記監視対象ではないと判断した場合に、前記ホップ数をデクリメントし、該デクリメントしたホップ数を、前記主信号と共に、前記監視方向に対して順方向に接続された伝送装置に対して送信し、前記第１の伝送装置は、受信した前記監視対象となる伝送装置の監視情報を、前記ネットワーク監視装置に対して送信し、前記ネットワーク監視装置は、前記監視対象となる伝送装置の監視情報を受信することを特徴とする。
【００２１】
そして、本発明によれば、ホップ数に基づき、監視対象であるか否かを判断し、監視対象であると判断した場合に、自装置の監視情報を、ネットワーク監視装置に接続された第１の伝送装置に対して送信し、この監視情報をネットワーク監視装置で受信するため、ネットワーク監視装置において監視対象となる伝送装置の監視情報を適切に収集することが可能になる。
【００２２】
上記ネットワークシステムにおいて、前記伝送装置は、自装置の監視情報を収集する状態監視制御部と、受信した順方向の信号からホップ数及び監視情報を抽出する第１の信号抽出部と、前記第１の信号抽出部で抽出されたホップ数に基づき、自装置が前記監視対象であるか否かを判断すると共に、前記状態監視制御部で収集された前記自装置の監視情報及び前記第１の信号抽出部で抽出された監視情報のいずれかを選択し、前記抽出されたホップ数及び前記選択された監視情報を含む監視制御信号を生成する第１の信号生成部と、受信した逆方向の信号からホップ数及び監視情報を抽出する第２の信号抽出部と、前記第２の信号抽出部で抽出されたホップ数に基づき、自装置が前記監視対象であるか否かを判断すると共に、前記状態監視制御部で収集された前記自装置の監視情報及び前記第２の信号抽出部で抽出された監視情報のいずれかを選択し、前記抽出されたホップ数及び前記選択された監視情報を含む監視制御信号を生成する第２の信号生成部と、前記第１又は第２の信号生成部から供給される監視制御信号を、前記主信号と共に順方向に隣接する伝送装置に対して送信する第１の送信部と、前記第１又は第２の信号生成部から供給される監視制御信号を、前記主信号と共に逆方向に隣接する伝送装置に対して送信する第２の送信部とを備え、前記第１又は第２の信号生成部は、自装置が前記監視対象であると判断した場合に、前記自装置の監視情報を選択すると共に、前記第１又は第２の信号抽出部で抽出されたホップ数をデクリメントし、前記選択された監視情報及び前記デクリメントしたホップ数を含む前記監視制御信号を生成し、生成した前記監視制御信号を前記第２又は第１の送信部に対して供給し、自装置が前記監視対象でないと判断した場合に、前記第１又は第２の信号抽出部で抽出された監視情報を選択すると共に、前記第１又は第２の信号抽出部で抽出されたホップ数をデクリメントし、前記選択された監視情報及び前記デクリメントしたホップ数を含む前記監視制御信号を生成し、生成した前記監視制御信号を前記第１又は第２の送信部に対して供給することができる。
【００２３】
上記ネットワークシステムにおいて、前記第１の伝送装置における前記状態監視制御部は、前記監視対象の伝送装置を指定するためのホップ数カウンタを有し、前記遠隔監視を実施する際に前記ホップ数カウンタの値を「１」に設定し、前記監視対象の監視情報を受信した場合に、前記監視対象の監視情報を前記ネットワーク監視装置に対して送信すると共に、前記ホップ数カウンタの値をインクリメントし、前記ホップ数カウンタの値が前記遠隔監視の監視対象となる伝送装置の総数を超えた場合に、前記値を「１」に設定することができる。これにより、ネットワーク監視装置では、監視対象となる次の監視対象ノードからの監視情報を受信することができると共に、監視対象となる伝送装置からの監視情報を定期的に順次収集することができる。
【００２４】
また、本発明は、直列的に接続された複数の伝送装置の監視情報を定期的に収集して、前記複数の伝送装置に対して遠隔監視を実施するネットワーク監視装置であって、前記複数の伝送装置のうち所定の第１の伝送装置と接続され、前記遠隔監視の監視対象となる伝送装置の総数を示す監視実施ノード数と、前記第１の伝送装置に対して前記監視対象となる伝送装置が接続される方向を示す監視方向とを前記第１の伝送装置に対して送信し、前記第１の伝送装置から、前記監視対象となる伝送装置の監視情報を受信することを特徴とする。本発明によれば、前記発明と同様に、監視対象となる伝送装置の監視情報を適切に収集することが可能になる。
【００２５】
また、本発明は、自装置の監視情報を収集し、遠隔監視を実施するネットワーク監視装置に対して前記収集した監視情報を送信する伝送装置であって、複数の伝送装置が互いに直列的に接続されると共に、前記複数の伝送装置のうち所定の第１の伝送装置が前記ネットワーク監視装置と直接的に接続され、前記第１の伝送装置は、監視対象となる伝送装置を特定可能なホップ数を、伝送すべき主信号と共に、自装置に対して前記監視対象となる伝送装置が接続される方向を示す監視方向に対して順方向に接続された他の伝送装置に対して送信し、前記ホップ数及び主信号を受信した他の伝送装置は、前記ホップ数に基づき、自装置が監視対象であるか否かを判断し、前記監視対象であると判断した場合に、自装置の監視情報を前記主信号と共に、前記第１の伝送装置側に隣接する、前記監視方向に対して逆方向に接続された他の伝送装置に対して送信し、前記監視対象ではないと判断した場合に、前記ホップ数をデクリメントし、該デクリメントしたホップ数を、前記主信号と共に、前記監視方向に対して順方向に接続された他の伝送装置に対して送信し、前記第１の伝送装置は、受信した前記監視対象となる伝送装置の監視情報を、前記ネットワーク監視装置に対して送信することを特徴とする。本発明によれば、前記発明と同様に、監視対象となる伝送装置の監視情報をネットワーク監視装置に対して適切に送信することが可能になる。
【００２６】
また、本発明は、ネットワーク監視装置と、直列的に接続された複数の伝送装置とを備え、前記ネットワーク監視装置により前記複数の伝送装置の監視情報を定期的に収集して、前記複数の伝送装置に対して遠隔監視を実施するネットワークシステムの監視情報収集方法であって、前記複数の伝送装置のうち所定の第１の伝送装置と直接的に接続された前記ネットワーク監視装置により、前記遠隔監視の監視対象となる伝送装置の総数を示す監視実施ノード数と、前記第１の伝送装置に対して前記監視対象となる伝送装置が接続される方向を示す監視方向とが前記第１の伝送装置に対して送信され、前記第１の伝送装置により、監視対象となる伝送装置を特定可能なホップ数が、伝送すべき主信号と共に、前記監視方向に対して順方向に接続された伝送装置に対して送信され、前記ホップ数及び主信号を受信した伝送装置により、前記ホップ数に基づき、自装置が監視対象であるか否かが判断され、前記監視対象であると判断された場合に、自装置の監視情報が前記主信号と共に、前記第１の伝送装置側に隣接する、前記監視方向に対して逆方向に接続された伝送装置に対して送信され、前記監視対象ではないと判断された場合に、前記ホップ数がデクリメントされ、該デクリメントされたホップ数が、前記主信号と共に、前記監視方向に対して順方向に接続された伝送装置に対して送信され、前記第１の伝送装置により、受信した前記監視対象となる伝送装置の監視情報が前記ネットワーク監視装置に対して送信され、前記ネットワーク監視装置により、前記監視対象となる伝送装置の監視情報が受信されることを特徴とする。本発明によれば、前記発明と同様に、監視対象となる伝送装置の監視情報を適切に収集することが可能になる。
【発明の効果】
【００２７】
以上のように、本発明によれば、ネットワーク上に設けられたすべての伝送装置をインバンドで遠隔監視すると共に、監視用の網敷設におけるコストを削減することが可能になる。
【図面の簡単な説明】
【００２８】
【図１】本発明に係るネットワークシステムの一実施の形態を示すブロック図である。
【図２】ネットワーク監視装置における各種情報のやりとり及び概略的な動作について説明するための略線図である。
【図３】ネットワーク監視装置に接続された伝送装置の状態監視制御部における各種情報のやりとり及び概略的な動作について説明するための略線図である。
【図４】第１及び第２の信号生成部における各種情報のやりとり及び概略的な動作について説明するための略線図である。
【図５】第１及び第２の送信部における各種情報のやりとり及び概略的な動作について説明するための略線図である。
【図６】ネットワーク監視装置における処理の流れの一例を示すフローチャートである。
【図７】伝送装置の状態監視制御部における処理の流れの一例を示すフローチャートである。
【図８】伝送装置の信号生成部における処理の流れの一例を示すフローチャートである。
【図９】伝送装置の信号生成部における処理の流れの一例を示すフローチャートである。
【図１０】伝送装置の信号生成部における処理の流れの一例を示すフローチャートである。
【図１１】伝送装置の信号生成部における処理の流れの一例を示すフローチャートである。
【図１２】伝送装置の送信部における処理の流れの一例を示すフローチャートである。
【図１３】ネットワークシステムの他の例を示すブロックズである。
【図１４】従来のネットワークシステムの構成の一例を示すブロック図である。
【図１５】従来のネットワークシステムの構成の他の例を示すブロック図である。
【図１６】従来のネットワークシステムの構成の他の例を示すブロック図である。
【発明を実施するための形態】
【００２９】
次に、本発明を実施するための形態について、図面を参照しながら詳細に説明する。
【００３０】
図１は、本発明にかかるネットワークシステムの一実施の形態を示し、このネットワークシステム１は、直列的に接続された複数の伝送装置１０、１０、・・・と、ネットワーク監視装置２０とで構成され、隣接する伝送装置１０間が伝送路３０で接続されると共に、複数の伝送装置１０のうち、いずれか１台の伝送装置１０に対してネットワーク監視装置２０が接続される。
【００３１】
尚、図１に示す例は、直列的に接続された複数の伝送装置１０、１０、・・・のうち、３台の伝送装置１０Ａ、１０Ｂ及び１０Ｃの接続状態に注目したものを示す。また、以下の説明においては、図中における各伝送装置１０の左側の方向を「ＷＥＳＴ」方向と称し、右側の方向を「ＥＡＳＴ」方向と称する。
【００３２】
伝送装置１０ＡのＷＥＳＴ方向には、伝送路３０Ａ及び３０Ｂを介して図示しない他の伝送装置１０が接続され、ＥＡＳＴ方向には、伝送路３０Ｃ及び３０Ｄを介して伝送装置１０Ｂが接続される。また、伝送装置１０Ａは、伝送路３０とは異なる伝送路によりネットワーク監視装置２０と接続される。
【００３３】
伝送装置１０ＢのＷＥＳＴ方向には、伝送路３０Ｃ及び３０Ｄを介して伝送装置１０Ａが接続され、ＥＡＳＴ方向には、伝送路３０Ｅ及び３０Ｆを介して伝送装置１０Ｃが接続される。
【００３４】
伝送装置１０ＣのＷＥＳＴ方向には、伝送路３０Ｅ及び３０Ｆを介して伝送装置１０Ｂが接続され、ＥＡＳＴ方向には、伝送路３０Ｇ及び３０Ｈを介して図示しない他の伝送装置１０が接続される。
【００３５】
各伝送装置１０は、伝送路３０を介して接続された隣接する伝送装置１０との間で、音声信号や各種データ等の主信号の送受信を行うと共に、各伝送装置１０における監視情報等の各種信号を伝送する。監視情報は、例えば、自装置内の警報や通信警報、通信品質、メンテナンス状態等を示す情報である。
【００３６】
ネットワーク監視装置２０は、上述したように、伝送路３０とは異なる伝送路により伝送装置１０Ａと接続され、この伝送路を介して監視対象である各伝送装置１０の監視情報を収集して監視する。具体的には、図１に示す例において、ネットワーク監視装置２０は、伝送路で接続された伝送装置１０Ａを直接的に監視すると共に、伝送路３０により伝送装置１０Ａと接続された伝送装置１０Ｂ及び１０Ｃを遠隔監視する。尚、以下の説明では、監視対象である伝送装置を「監視対象ノード」と適宜称する。
【００３７】
また、ネットワーク監視装置２０は、図示しない表示部を備える。この表示部には、監視対象ノードから収集した監視情報を表示することができる。
【００３８】
次に、伝送装置１０Ａ、１０Ｂ及び１０Ｃの構成について説明する。尚、伝送装置１０Ａ、１０Ｂ及び１０Ｃにおいて、伝送装置１０Ａがネットワーク監視装置２０と接続される以外については、同様の構成を有するため、ここでは、伝送装置１０Ａ、１０Ｂ及び１０Ｃを単に「伝送装置１０」と称して説明する。
【００３９】
伝送装置１０は、第１の受信部（以下、「受信部（Ｗ→Ｅ）」とする）１１、第１の信号抽出部（信号抽出部（Ｗ→Ｅ））１２、第１の信号生成部（信号生成部（Ｗ→Ｅ））１３、第１の送信部（送信部（Ｗ→Ｅ））１４、第２の受信部（受信部（Ｅ→Ｗ））１５、第２の信号抽出部（信号抽出部（Ｅ→Ｗ））１６、第２の信号生成部（信号生成部（Ｅ→Ｗ））１７、第２の送信部（送信部（Ｅ→Ｗ））１８及び状態監視制御部１９を備える。
【００４０】
受信部（Ｗ→Ｅ）１１は、ＷＥＳＴ方向に接続された他の伝送装置１０から、伝送路３０を介して信号を受信し、後述する送信部（Ｗ→Ｅ）１４に供給する。
【００４１】
信号抽出部（Ｗ→Ｅ）１２は、受信部（Ｗ→Ｅ）１１で受信した信号の、主信号とは別にアサインされたオーバーヘッドからホップ数及び監視情報を抽出し、後述する信号生成部（Ｗ→Ｅ）１３に供給する。ホップ数は、通信相手に到達するまでに経由する装置の数（中継段数）を示し、伝送装置を中継する度にデクリメントすることにより、監視対象ノードを特定することができる。
【００４２】
例えば、ホップ数の値が「１」の場合には、自装置が「監視対象」状態であることを示し、それ以外の値の場合には、自装置が監視対象ではないことを示す。特に、ホップ数の値が「０」の場合には、監視対象ノードから監視情報を取得済みであり、「応答」状態であることを示す。
【００４３】
また、ホップ数の値が遠隔監視を実施する伝送装置の数と同数の場合には、「中継段数」状態であることを示し、遠隔監視を実施する伝送装置の数よりも大きい場合には、「非監視」状態であることを示す。具体的には、例えば、２つの伝送装置に対して遠隔監視を実施する場合、ホップ数の値が「２」のときに「中継段数」状態であることを示し、値が「３」のときに「非監視」状態であることを示す。
【００４４】
信号生成部（Ｗ→Ｅ）１３は、信号抽出部（Ｗ→Ｅ）１２から供給されるホップ数及び監視情報と、後述する状態監視制御部１９から供給される自装置の監視情報とに基づき、ホップ数及び監視情報を含む監視制御信号を生成し、送信部（Ｗ→Ｅ）１４及び送信部（Ｅ→Ｗ）１８のいずれかに供給する。監視制御信号を送信部（Ｗ→Ｅ）１４及び送信部（Ｅ→Ｗ）１８のいずれに供給するかについては、送信部（Ｅ→Ｗ）１８との間でやりとりされる反転フラグの状態に応じて決定される。
【００４５】
送信部（Ｗ→Ｅ）１４は、信号生成部（Ｗ→Ｅ）１３又は信号生成部（Ｅ→Ｗ）１７から供給される監視制御信号を信号のオーバーヘッドに挿入し、生成した信号を、伝送路３０を介してＥＡＳＴ方向に接続された他の伝送装置１０に対して送信する。
【００４６】
受信部（Ｅ→Ｗ）１５は、ＥＡＳＴ方向に接続された他の伝送装置１０から、伝送路３０を介して信号を受信し、後述する送信部（Ｅ→Ｗ）１８に供給する。
【００４７】
信号抽出部（Ｅ→Ｗ）１６は、受信部（Ｅ→Ｗ）１５で受信した信号のオーバーヘッドからホップ数及び監視情報を抽出し、後述する信号生成部（Ｅ→Ｗ）１７に供給する。
【００４８】
信号生成部（Ｅ→Ｗ）１７は、信号抽出部（Ｅ→Ｗ）１６から供給されるホップ数及び監視情報と、状態監視制御部１９から供給される自装置の監視情報とに基づき、ホップ数及び監視情報を含む監視制御信号を生成し、送信部（Ｅ→Ｗ）１８及び送信部（Ｗ→Ｅ）１４のいずれかに供給する。監視制御信号を送信部（Ｅ→Ｗ）１８及び送信部（Ｗ→Ｅ）１４のいずれに供給するかについては、信号生成部（Ｗ→Ｅ）１３と同様に、送信部（Ｗ→Ｅ）１４との間でやりとりされる反転フラグの状態に応じて決定される。
【００４９】
送信部（Ｅ→Ｗ）１８は、信号生成部（Ｅ→Ｗ）１７又は信号生成部（Ｗ→Ｅ）１３から供給される監視制御信号を信号のオーバーヘッドに挿入し、生成した信号を、伝送路３０を介してＷＥＳＴ方向に接続された他の伝送装置１０に対して送信する。
【００５０】
状態監視制御部１９は、自装置の監視情報を定期的に収集すると共に、収集した自装置の監視情報を信号生成部（Ｗ→Ｅ）１３及び信号生成部（Ｅ→Ｗ）１７に供給する。また、ネットワーク監視装置２０と接続される伝送装置１０Ａの状態監視制御部１９Ａについては、信号生成部（Ｗ→Ｅ）１３Ａ又は信号生成部（Ｅ→Ｗ）１７Ａから受け取った監視対象ノードの監視情報をネットワーク監視装置２０に対して送信する。
【００５１】
さらに、状態監視制御部１９Ａには、図示しないホップ数カウンタが設けられる。ホップ数カウンタは、遠隔監視を実施した際に、監視情報を取得する監視対象ノードを決定するために用いられ、状態監視制御部１９Ａは、監視対象ノードの監視情報を取得した場合に、ホップ数カウンタの値をインクリメントするように制御する。
【００５２】
図１に示すネットワークシステム１においては、伝送フレーム上の主信号とは別にアサインされたビットを用いて、遠隔監視する監視対象ノードの監視情報をネットワーク監視装置２０に接続された伝送装置１０Ａまで送信する。そして、伝送装置１０Ａは、受信した監視情報をネットワーク監視装置２０に送信し、ネットワーク監視装置２０に設けられた表示部を用いることにより、監視対象ノード内の警報や通信警報、通信品質、メンテナンス状態等を表示させることができる。
【００５３】
また、ネットワークシステム１では、伝送フレーム上の主信号とは別にアサインされたビットにホップ数を挿入し、信号が伝送装置を中継する度にホップ数をデクリメントすることにより、監視対象ノードを特定することができる。
【００５４】
このとき、監視対象ノードでは、自装置内の監視情報を取得した後、この監視情報と伝送されたホップ数とを含む監視制御信号を生成し、この監視制御信号を信号のオーバーヘッドに挿入し、伝送装置１０Ａ側の送信部を用いて伝送装置１０Ａまで送信する。
【００５５】
一方、ネットワーク監視装置２０に接続された伝送装置１０Ａでは、状態監視制御部１９Ａによりホップ数カウンタが制御され、監視対象ノードの監視情報を取得した場合に、予め設定された、遠隔監視する監視対象ノードの総数を示す監視実施ノード数までホップ数カウンタの値がインクリメントされる。そして、ホップ数カウンタの値が監視実施ノード数を超えた場合に、ホップ数カウンタの値が「１」に戻される。これにより、状態監視制御部１９Ａは、隣接する伝送装置から監視実施ノード数が示す伝送装置までの監視情報を順次かつ定期的に取得することができる。
【００５６】
尚、監視実施ノード数は、遠隔監視を実施する際に、図示しないオペレータによって設定されるものであり、ネットワーク監視装置２０に接続された伝送装置１０Ａから、設定された値だけ中継した伝送装置までが監視対象であることを示す。例えば、図１に示す例において、伝送装置１０Ｂ及び１０Ｃを遠隔監視の監視対象とする場合には、監視実施ノード数が「２」に設定される。また、遠隔監視を実施しない場合には、監視実施ノード数が「無効」に設定される。
【００５７】
次に、ネットワーク監視装置２０及び伝送装置１０に設けられた各部における各種信号のやりとり及び概略的な動作について、図２〜５を参照して説明する。
【００５８】
まず、ネットワーク監視装置２０における各種情報のやりとり及び概略的な動作について、図２を参照して説明する。ネットワーク監視装置２０は、オペレータ４０及び状態監視制御部１９Ａとの間で、各種情報のやりとりを行う。
【００５９】
ネットワーク監視装置２０は、遠隔監視を実施する際に、オペレータ４０によって設定された監視実施ノード数及び監視方向が供給される。監視方向は、ネットワーク監視装置２０に接続された伝送装置１０Ａに対する監視対象ノードの方向を示す。遠隔監視を実施する場合には、監視方向として、ＷＥＳＴ側からＥＡＳＴ側に向かう「Ｗ→Ｅ」方向、及びＥＡＳＴ側からＷＥＳＴ側に向かう「Ｅ→Ｗ」方向のいずれかが設定される。遠隔監視を実施しない場合には、監視方向として「無効」が設定される。
【００６０】
また、ネットワーク監視装置２０は、オペレータ４０から供給された監視実施ノード数及び監視方向を、伝送装置１０Ａに設けられた状態監視制御部１９Ａに対して送信すると共に、監視開始ノードフラグを送信する。監視開始ノードフラグは、伝送装置１０Ａがこのネットワーク監視装置２０と接続された伝送装置であるか否かを識別するためのフラグであり、「オン」状態の場合は、ネットワーク監視装置２０と接続された伝送装置であることを示し、「オフ」状態の場合は、ネットワーク監視装置２０と接続されていない伝送装置であることを示す。監視開始ノードフラグは、初期値として「オフ」状態が設定される。
【００６１】
さらに、ネットワーク監視装置２０は、監視対象ノードの監視情報、ホップ数カウンタ及び状態取得完了フラグを状態監視制御部１９Ａから受信する。状態取得完了フラグは、監視対象ノードの監視情報を取得したか否かを判別するためのフラグであり、「オン」状態の場合は、監視対象ノードの監視情報を取得したことを示し、「オフ」状態の場合は、監視対象ノードの監視情報を取得していないことを示す。
【００６２】
ネットワーク監視装置２０は、状態監視制御部１９Ａから受信した状態取得完了フラグが「オン」状態である場合に、ホップ数カウンタの値から現在の監視対象ノードを特定し、受信した監視情報が示す各種情報を表示部に表示させると共に、状態取得完了フラグを「オフ」状態として状態監視制御部１９Ａに対して送信する。
【００６３】
次に、状態監視制御部１９における各種信号のやりとり及び概略的な動作について、図３を参照して説明する。ここでは、特に、ネットワーク監視装置２０に接続された伝送装置１０Ａの状態監視制御部１９Ａにおける各種信号のやりとりについて説明する。状態監視制御部１９Ａは、信号生成部（Ｗ→Ｅ）１３Ａ及び信号生成部（Ｅ→Ｗ）１７Ａ、並びにネットワーク監視装置２０との間で、各種情報のやりとりを行う。
【００６４】
状態監視制御部１９Ａは、監視開始ノードフラグ、監視実施ノード数、監視方向及び状態取得完了フラグをネットワーク監視装置２０から受信すると共に、監視開始ノードフラグ、ホップ数カウンタ、自装置で収集した監視情報及び監視方向を信号生成部（Ｗ→Ｅ）１３Ａ及び信号生成部（Ｅ→Ｗ）１７Ａに対して送信する。
【００６５】
また、状態監視制御部１９Ａは、状態取得完了フラグが「オフ」状態の場合に、信号生成部（Ｅ→Ｗ）１７Ａから監視対象ノードの監視情報及びホップ数を受信する。
【００６６】
さらに、状態監視制御部１９Ａは、状態取得完了フラグが「オフ」状態で、かつ信号生成部（Ｅ→Ｗ）１７Ａから受信したホップ数が「応答」状態を示す場合に、状態取得完了フラグを「オン」状態に設定し、ホップ数カウンタ、監視対象ノードの監視情報及び状態取得完了フラグをネットワーク監視装置２０に対して送信する。このとき、状態監視制御部１９Ａは、ホップ数カウンタの値をインクリメントする。
【００６７】
次に、信号生成部（Ｗ→Ｅ）１３及び信号生成部（Ｅ→Ｗ）１７における各種情報のやりとり及び概略的な動作について、図４を参照して説明する。信号生成部（Ｗ→Ｅ）１３は、信号抽出部（Ｗ→Ｅ）１２、送信部（Ｗ→Ｅ）１４、送信部（Ｅ→Ｗ）１８及び状態監視制御部１９との間で、各種情報のやりとりを行う。また、信号生成部（Ｅ→Ｗ）１７は、送信部（Ｗ→Ｅ）１４、信号抽出部（Ｅ→Ｗ）１６、送信部（Ｅ→Ｗ）１８及び状態監視制御部１９との間で、各種情報のやりとりを行う。
【００６８】
信号生成部（Ｗ→Ｅ）１３及び信号生成部（Ｅ→Ｗ）１７は、監視情報、ホップ数カウンタ、監視開始ノードフラグ及び監視方向を状態監視制御部１９から受信すると共に、各々、受信部（Ｗ→Ｅ）１１及び受信部（Ｅ→Ｗ）１５で受信した信号から抽出されたホップ数及び監視情報を、信号抽出部（Ｗ→Ｅ）１２及び信号抽出部（Ｅ→Ｗ）１６から受信する。
【００６９】
また、信号生成部（Ｗ→Ｅ）１３及び信号生成部（Ｅ→Ｗ）１７は、各々、逆方向の送信部（Ｅ→Ｗ）１８及び送信部（Ｗ→Ｅ）１４から反転フラグを受信する。
【００７０】
ここで、信号生成部（Ｗ→Ｅ）１３及び信号生成部（Ｅ→Ｗ）１７は、信号抽出部（Ｗ→Ｅ）１２及び信号抽出部（Ｅ→Ｗ）１６から受信したホップ数が「監視対象」状態を示す場合に、状態監視制御部１９から受信した監視情報を次段の伝送装置に伝送すべき監視情報として選択する。一方、信号抽出部（Ｗ→Ｅ）１２及び信号抽出部（Ｅ→Ｗ）１６から受信したホップ数が「監視対象」状態以外の状態を示す場合、信号生成部（Ｗ→Ｅ）１３及び信号生成部（Ｅ→Ｗ）１７は、信号抽出部（Ｗ→Ｅ）１２及び信号抽出部（Ｅ→Ｗ）１６から受信した監視情報を選択する。
【００７１】
また、ネットワーク監視装置２０に接続された伝送装置１０Ａにおける、状態監視制御部１９Ａから受信した監視方向と一致する方向の信号生成部１３Ａ又は１７Ａは、状態監視制御部１９Ａから受信したホップ数カウンタの値をホップ数として選択する。
【００７２】
さらに、ネットワーク監視装置２０に接続されない、遠隔監視の対象となる伝送装置１０における信号生成部（Ｗ→Ｅ）１３及び信号生成部（Ｅ→Ｗ）１７、及び、ネットワーク監視装置２０に接続された伝送装置１０Ａにおける、状態監視制御部１９Ａから受信した監視方向と一致しない方向の信号生成部１３Ａ又は１７Ａは、信号抽出部（Ｗ→Ｅ）１２及び信号抽出部（Ｅ→Ｗ）１６から受信したホップ数を選択する。このとき、選択したホップ数の値が「中継段数」状態又は「監視対象」状態を示す場合、これらの伝送装置は、ホップ数の値をデクリメントさせる。
【００７３】
上述のようにして監視情報及びホップ数が選択されると、信号生成部（Ｗ→Ｅ）１３及び信号生成部（Ｅ→Ｗ）１７は、選択された監視情報及びホップ数に基づき、監視制御信号を生成する。
【００７４】
また、信号生成部（Ｗ→Ｅ）１３及び信号生成部（Ｅ→Ｗ）１７は、ホップ数の値が「監視対象」状態を示す場合に、反転フラグを「オン」状態に設定し、ホップ数の値がそれ以外の状態を示す場合に、反転フラグを「オフ」状態に設定する。
【００７５】
そして、信号生成部（Ｗ→Ｅ）１３は、設定した反転フラグが「オフ」状態である場合に、順方向の送信部（Ｗ→Ｅ）１４に対して生成した監視制御信号を送信すると共に、逆方向の送信部（Ｅ→Ｗ）１８に対して反転フラグを送信する。一方、反転フラグが「オン」状態である場合、信号生成部（Ｗ→Ｅ）１３は、逆方向の送信部（Ｅ→Ｗ）１８に対して監視制御信号及び反転フラグを送信する。
【００７６】
また、信号生成部（Ｅ→Ｗ）１７は、信号生成部（Ｗ→Ｅ）１３と同様に、設定した反転フラグが「オフ」状態である場合に、順方向の送信部（Ｅ→Ｗ）１８に対して生成した監視制御信号を送信すると共に、逆方向の送信部（Ｗ→Ｅ）１４に対して反転フラグを送信する。一方、反転フラグが「オン」状態である場合、信号生成部（Ｅ→Ｗ）１７は、逆方向の送信部（Ｗ→Ｅ）１４に対して監視制御信号及び反転フラグを送信する。
【００７７】
尚、ネットワーク監視装置２０に接続された伝送装置１０Ａにおける、状態監視制御部１９Ａから受信した監視方向と一致しない方向の信号生成部１３Ａ又は１７Ａは、監視情報及びホップ数を状態監視制御部１９Ａに対して送信する。
【００７８】
次に、送信部（Ｗ→Ｅ）１４及び送信部（Ｅ→Ｗ）１８における各種情報のやりとり及び概略的な動作について、図５を参照して説明する。送信部（Ｗ→Ｅ）１４は、信号生成部（Ｗ→Ｅ）１３との間で各種情報のやりとりを行い、送信すべき信号を次段の伝送装置に対して送信する。また、送信部（Ｅ→Ｗ）１８は、信号生成部（Ｅ→Ｗ）１７との間で各種情報のやりとりを行い、信号を次段の伝送装置に対して送信する。
【００７９】
送信部（Ｗ→Ｅ）１４は、信号生成部（Ｗ→Ｅ）１３及び信号生成部（Ｅ→Ｗ）１７から監視制御信号を受信すると共に、信号生成部（Ｅ→Ｗ）１７から反転フラグを受信し、反転フラグの状態に応じて、信号生成部（Ｗ→Ｅ）１３及び信号生成部（Ｅ→Ｗ）１７から受信した監視制御信号のいずれかを選択する。
【００８０】
例えば、送信部（Ｗ→Ｅ）１４は、反転フラグが「オン」状態である場合に、信号生成部（Ｅ→Ｗ）１７から受信した監視制御信号を選択する。一方、送信部（Ｗ→Ｅ）１４は、反転フラグが「オフ」状態である場合に、信号生成部（Ｗ→Ｅ）１３から受信した監視制御信号を選択する。
【００８１】
そして、送信部（Ｗ→Ｅ）１４は、選択した監視制御信号を信号のオーバーヘッドに挿入し、伝送路に送信する。また、送信部（Ｗ→Ｅ）１４は、反転フラグを「オフ」状態に設定し、逆方向の信号生成部（Ｅ→Ｗ）１７に対して送信する。
【００８２】
また、送信部（Ｅ→Ｗ）１８は、送信部（Ｗ→Ｅ）１４と同様に、信号生成部（Ｗ→Ｅ）１３及び信号生成部（Ｅ→Ｗ）１７から監視制御信号を受信すると共に、信号生成部（Ｗ→Ｅ）１３から反転フラグを受信し、反転フラグの状態に応じて、信号生成部（Ｗ→Ｅ）１３及び信号生成部（Ｅ→Ｗ）１７から受信した監視制御信号のいずれかを選択する。
【００８３】
例えば、送信部（Ｅ→Ｗ）１８は、反転フラグが「オン」状態である場合に、信号生成部（Ｗ→Ｅ）１３から受信した監視制御信号を選択する。一方、送信部（Ｅ→Ｗ）１８は、反転フラグが「オフ」状態である場合に、信号生成部（Ｅ→Ｗ）１７から受信した監視制御信号を選択する。
【００８４】
そして、送信部（Ｅ→Ｗ）１８は、選択した監視制御信号を信号のオーバーヘッドに挿入し、伝送路に送信する。また、送信部（Ｅ→Ｗ）１８は、反転フラグを「オフ」状態に設定し、逆方向の信号生成部（Ｗ→Ｅ）１３に対して送信する。
【００８５】
次に、上記構成を有するネットワークシステム１の動作について、図６〜図１２を参照して説明する。
【００８６】
まず、ネットワーク監視装置２０における処理の流れについて、図６に示すフローチャートを参照して説明する。
【００８７】
ステップＳ１及びステップＳ２において、ネットワーク監視装置２０では、オペレータ４０によって監視実施ノード数及び監視方向が設定される。
【００８８】
ステップＳ３では、オペレータ４０によって監視実施ノード数及び監視方向が設定されたか否かが判断される。監視実施ノード数及び監視方向が設定されたと判断した場合（ステップＳ３；Ｙｅｓ）、ネットワーク監視装置２０は、監視開始ノードフラグを「オン」状態に設定する（ステップＳ４）。一方、監視実施ノード数及び監視方向が設定されていないと判断した場合（ステップＳ３；Ｎｏ）、ネットワーク監視装置２０は、監視開始ノードフラグを「オフ」状態に設定する（ステップＳ５）。
【００８９】
次に、ステップＳ６では、監視開始ノードフラグが「オン」状態であるか否かが判断される。監視開始ノードフラグが「オン」状態であると判断した場合（ステップＳ６；Ｙｅｓ）、ネットワーク監視装置２０は、伝送路で接続された伝送装置１０の状態監視制御部１９から状態取得完了フラグを受信する（ステップＳ７）。そして、受信した状態取得完了フラグが「オン」状態であるか否かが判断される（ステップＳ８）。
【００９０】
状態取得完了フラグが「オン」状態であると判断した場合（ステップＳ８；Ｙｅｓ）、ネットワーク監視装置２０は、状態監視制御部１９からホップ数カウンタ及び監視情報を受信し（ステップＳ９、Ｓ１０）、受信したホップ数カウンタ及び監視情報に基づき、監視対象ノードの監視情報を表示部に表示する（ステップＳ１１）。そして、ネットワーク監視装置２０は、状態取得完了フラグを「オフ」状態に設定し（ステップＳ１２）、処理がステップＳ１３に移行する。
【００９１】
一方、ステップＳ６において監視開始ノードフラグが「オフ」状態であると判断した場合（ステップＳ６；Ｎｏ）、及び、ステップＳ８において状態取得完了フラグが「オフ」状態であると判断した場合（ステップＳ８；Ｎｏ）には、処理がステップＳ１３に移行する。
【００９２】
次に、ネットワーク監視装置２０は、状態取得完了フラグ、監視開始ノードフラグ、監視実施ノード数及び監視方向を、接続された伝送装置１０の状態監視制御部１９に送信する（ステップＳ１３〜ステップＳ１６）。
【００９３】
次に、伝送装置１０の状態監視制御部１９における処理の流れについて、図７に示すフローチャートを参照して説明する。
【００９４】
まず、ネットワーク監視装置２０に接続された伝送装置１０の状態監視制御部１９は、ネットワーク監視装置２０から状態取得完了フラグ、監視開始ノードフラグ、監視実施ノード数及び監視方向を受信する（ステップＳ２１〜ステップＳ２４）。
【００９５】
次に、ステップＳ２５において、前回取得した監視開始ノードフラグと、ステップＳ２２で取得した監視開始ノードフラグとを参照し、監視開始ノードフラグが「オフ」状態から「オン」状態に変化したか否かが判断される。尚、ステップＳ２５における判断は、ネットワーク監視を開始する初回のみ行われる。
【００９６】
監視開始ノードフラグが「オフ」状態から「オン」状態に変化したと判断した場合（ステップＳ２５；Ｙｅｓ）、状態監視制御部１９は、ホップ数カウンタの値を「１」に設定し（ステップＳ２６）、処理がステップＳ２７に移行する。一方、監視開始ノードフラグが「オフ」状態から「オン」状態に変化していないと判断した場合（ステップＳ２５；Ｎｏ）、処理がステップＳ２７に移行する。
【００９７】
次に、ステップＳ２７において、ホップ数カウンタが有効であり、かつ、ホップ数カウンタの値が監視実施ノード数を超えたか否かが判断される。ホップ数カウンタが有効であり、かつ、ホップ数カウンタの値が監視実施ノード数を超えたと判断した場合（ステップＳ２７；Ｙｅｓ）、状態監視制御部１９は、ホップ数カウンタの値を「１」に設定し（ステップＳ２８）、処理がステップＳ２９に移行する。一方、それ以外の場合（ステップＳ２７；Ｎｏ）、処理がステップＳ２９に移行する。
【００９８】
状態監視制御部１９は、監視開始ノードフラグ、ホップ数カウンタ、監視情報及び監視方向を信号生成部（Ｗ→Ｅ）１３及び信号生成部（Ｅ→Ｗ）１７に対して送信する（ステップＳ２９〜ステップＳ３２）。
【００９９】
次に、ステップＳ３３において、監視開始ノードフラグが「オン」状態であるか否かが判断される。監視開始ノードフラグが「オン」状態であると判断した場合（ステップＳ３３；Ｙｅｓ）には、状態取得完了フラグが「オフ」状態であるか否かが判断される（ステップＳ３４）。
【０１００】
状態取得完了フラグが「オフ」状態であると判断した場合（ステップＳ３４；Ｙｅｓ）、状態監視制御部１９は、ステップＳ２４で受信した監視方向が示す方向に対して不一致となる逆方向の信号生成部から、ホップ数及び監視情報を受信する（ステップＳ３５、Ｓ３６）。
【０１０１】
次に、ステップＳ３７において、ステップＳ３５で取得したホップ数の値が「０」（「応答」状態）であるか否かが判断される。ホップ数の値が「０」（「応答」状態）であると判断した場合（ステップＳ３７；Ｙｅｓ）、状態監視制御部１９は、ホップ数カウンタ及び監視情報を送信する（ステップＳ３８、Ｓ３９）と共に、ホップ数カウンタの値をインクリメントし（ステップＳ４０）、状態取得完了フラグを「オン」状態に設定し（ステップＳ４１）、処理がステップＳ４２に移行する。
【０１０２】
一方、ステップＳ３３において監視開始ノードフラグが「オフ」状態であると判断した場合（ステップＳ３３；Ｎｏ）、及び、ステップＳ３４において状態取得完了フラグが「オン」状態であると判断した場合（ステップＳ３４；Ｎｏ）、並びに、ステップＳ３７においてホップ数の値が「０」以外であると判断した場合（ステップＳ３７；Ｎｏ）、処理がステップＳ４２に移行する。
【０１０３】
ステップＳ４２において、状態監視制御部１９は、状態取得完了フラグをネットワーク監視装置２０に対して送信する。
【０１０４】
次に、伝送装置１０の信号生成部（Ｗ→Ｅ）１３及び信号生成部（Ｅ→Ｗ）１７における処理の流れについて、図８〜図１１に示すフローチャートを参照して説明する。尚、図８〜図１１において、記号１〜３は、それぞれ対応する記号へと処理が移行することを示す。
【０１０５】
まず、信号生成部（Ｗ→Ｅ）１３及び信号生成部（Ｅ→Ｗ）１７は、状態監視制御部１９から監視開始ノードフラグ、ホップ数カウンタ、監視情報及び監視方向を受信する（ステップＳ５１〜ステップＳ５４）。
【０１０６】
また、信号生成部（Ｗ→Ｅ）１３及び信号生成部（Ｅ→Ｗ）１７は、各々、信号抽出部（Ｗ→Ｅ）１２及び信号抽出部（Ｅ→Ｗ）１６からホップ数及び監視情報を受信する（ステップＳ５５、Ｓ５６）。さらに、信号生成部（Ｗ→Ｅ）１３及び信号生成部（Ｅ→Ｗ）１７は、各々、ステップＳ５４で受信した監視方向が示す方向に対して不一致となる逆方向の送信部（Ｅ→Ｗ）１８及び送信部（Ｗ→Ｅ）１４から反転フラグを受信する（ステップＳ５７）。
【０１０７】
次に、ステップＳ５８において、Ｓ５５で受信したホップ数の値が「１」（「監視対象」状態）であるか否かが判断される。ホップ数の値が「１」（「監視対象」状態）であると判断した場合（ステップＳ５８；Ｙｅｓ）、信号生成部（Ｗ→Ｅ）１３及び信号生成部（Ｅ→Ｗ）１７は、ステップＳ５３で状態監視制御部１９から受信した監視情報を選択する（ステップＳ５９）。一方、ホップ数の値がそれ以外であると判断した場合（ステップＳ５８；Ｎｏ）、信号生成部（Ｗ→Ｅ）１３及び信号生成部（Ｅ→Ｗ）１７は、各々、信号抽出部（Ｗ→Ｅ）１２及び信号抽出部（Ｅ→Ｗ）１６から受信した監視情報を選択する（ステップＳ６０）。
【０１０８】
次に、ステップＳ６１において、ステップＳ５１で受信した監視開始ノードフラグが「オン」状態であるか否かが判断される。監視開始ノードフラグが「オン」状態であると判断した場合（ステップＳ６１；Ｙｅｓ）、信号生成部（Ｗ→Ｅ）１３及び信号生成部（Ｅ→Ｗ）１７は、自身の方向がステップＳ５４で受信した監視方向と一致するか否かを判断する（ステップＳ６２）。
【０１０９】
自身の方向が監視方向と一致すると判断した場合（ステップＳ６２；Ｙｅｓ）、方向が一致する信号生成部（Ｗ→Ｅ）１３又は信号生成部（Ｅ→Ｗ）１７は、ステップＳ５２で受信したホップ数カウンタを選択する（ステップＳ６３）。
【０１１０】
次に、ステップＳ６４において、ステップＳ６３で選択したホップ数カウンタの値と、前回のホップ数カウンタの値とが不一致であるか否かが判断される。２つのホップ数カウンタの値が不一致であると判断した場合（ステップＳ６４；Ｙｅｓ）、信号生成部（Ｗ→Ｅ）１３又は信号生成部（Ｅ→Ｗ）１７は、ステップＳ６３で選択されたホップ数カウンタの値をホップ数に設定し（ステップＳ６５）、処理がステップＳ７３に移行する。一方、２つのホップ数カウンタの値が一致すると判断した場合（ステップＳ６４；Ｎｏ）には、処理がステップＳ７３に移行する。
【０１１１】
一方、ステップＳ６１において監視開始ノードフラグが「オフ」状態であると判断した場合（ステップＳ６１；Ｎｏ）、及び、ステップＳ６２において自身の方向が監視方向と一致しないと判断した場合（ステップＳ６２；Ｎｏ）、信号生成部（Ｗ→Ｅ）１３又は信号生成部（Ｅ→Ｗ）１７は、ステップＳ５５で信号抽出部（Ｗ→Ｅ）１２又は信号抽出部（Ｅ→Ｗ）１６から受信したホップ数を選択する（ステップＳ６６）。
【０１１２】
そして、ステップＳ６７において、選択されたホップ数が「中継段数」又は「監視対象」を示す状態であるか否かが判断される。ホップ数が「中継段数」又は「監視対象」を示す状態であると判断した場合（ステップＳ６７；Ｙｅｓ）には、さらに、ホップ数が「監視対象」を示す状態であるか否かが判断される（ステップＳ６８）。
【０１１３】
ホップ数が「監視対象」を示す状態であると判断した場合（ステップＳ６８；Ｙｅｓ）、信号生成部（Ｗ→Ｅ）１３又は信号生成部（Ｅ→Ｗ）１７は、反転フラグを「オン」状態に設定する（ステップＳ６９）。一方、ホップ数が「監視対象」を示す状態ではないと判断した場合（ステップＳ６８；Ｎｏ）、信号生成部（Ｗ→Ｅ）１３又は信号生成部（Ｅ→Ｗ）１７は、反転フラグを「オフ」状態に設定する（ステップＳ７０）。そして、信号生成部（Ｗ→Ｅ）１３又は信号生成部（Ｅ→Ｗ）１７は、ホップ数の値をデクリメントし（ステップＳ７１）、処理がステップＳ７３に移行する。
【０１１４】
一方、ステップＳ６７において、ホップ数が「中継段数」又は「監視対象」を示す状態ではないと判断した場合（ステップＳ６７；Ｎｏ）、信号生成部（Ｗ→Ｅ）１３又は信号生成部（Ｅ→Ｗ）１７は、反転フラグを「オフ」状態に設定し（ステップＳ７２）、処理がステップＳ７３に移行する。
【０１１５】
次に、ステップＳ７３において、ステップＳ５１で受信した監視開始ノードフラグが「オン」状態であるか否かが判断される。監視開始ノードフラグが「オン」状態であると判断した場合（ステップＳ７３；Ｙｅｓ）には、さらに、自身の方向がステップＳ５４で受信した監視方向が示す方向と不一致であるか否かが判断される（ステップＳ７４）。
【０１１６】
自身の方向が監視方向と不一致であると判断した場合（ステップＳ７４；Ｙｅｓ）、信号生成部（Ｗ→Ｅ）１３又は信号生成部（Ｅ→Ｗ）１７は、ホップ数を「非監視」状態を示す値に設定すると共に、監視情報を「無効値」に設定し（ステップＳ７５、Ｓ７６）、処理がステップＳ７７に移行する。
【０１１７】
一方、ステップＳ７３において監視開始ノードフラグが「オフ」状態であると判断した場合（ステップＳ７３；Ｎｏ）、及び、ステップＳ７４において自身の方向が監視方向と一致すると判断した場合（ステップＳ７４；Ｎｏ）には、処理がステップＳ７７に移行する。
【０１１８】
次に、ステップＳ７７において、信号生成部（Ｗ→Ｅ）１３及び信号生成部（Ｅ→Ｗ）１７は、ホップ数及び監視情報に基づき、監視制御信号を生成する。そして、ステップＳ７８において、反転フラグが「オン」状態であるか否かが判断される。
【０１１９】
反転フラグが「オン」状態であると判断した場合（ステップＳ７８；Ｙｅｓ）、信号生成部（Ｗ→Ｅ）１３及び信号生成部（Ｅ→Ｗ）１７は、監視方向が示す方向と不一致となる逆方向の送信部に対して監視制御信号を送信する（ステップＳ７９）。一方、反転フラグが「オフ」状態であると判断した場合（ステップＳ７８；Ｎｏ）、信号生成部（Ｗ→Ｅ）１３及び信号生成部（Ｅ→Ｗ）１７は、監視方向が示す方向と一致する順方向の送信部に対して監視制御信号を送信する（ステップＳ８０）。
【０１２０】
そして、信号生成部（Ｗ→Ｅ）１３及び信号生成部（Ｅ→Ｗ）１７は、監視方向が示す方向と不一致となる逆方向の送信部に対して反転フラグを送信し（ステップＳ８１）、処理がステップＳ８２に移行する。
【０１２１】
次に、ステップＳ８２において、ステップＳ５１で受信した監視開始ノードフラグが「オン」状態であるか否かが判断される。監視開始ノードフラグが「オン」状態であると判断した場合（ステップＳ８２；Ｙｅｓ）には、さらに、自身の方向が監視方向が示す方向と不一致であるか否かが判断される（ステップＳ８３）。
【０１２２】
自身の方向が監視方向が示す方向と不一致であると判断した場合（ステップＳ８３；Ｙｅｓ）には、さらにまた、ホップ数の値が「０」（「応答」状態）であるか否かが判断される（ステップＳ８４）。
【０１２３】
ホップ数の値が「０」（「応答」状態）であると判断した場合（ステップＳ８４；Ｙｅｓ）、信号生成部（Ｗ→Ｅ）１３及び信号生成部（Ｅ→Ｗ）１７は、状態監視制御部１９に対して監視情報を送信し（ステップＳ８５）、処理がステップＳ８６に移行する。
【０１２４】
一方、ステップＳ８２において監視開始ノードフラグが「オフ」状態であると判断した場合（ステップＳ８２；Ｎｏ）、及び、ステップＳ８３において自身の方向が監視方向が示す方向と一致すると判断した場合（ステップＳ８３；Ｎｏ）、並びに、ステップＳ８４においてホップ数の値が「０」（「応答」状態）以外であると判断した場合（ステップＳ８４；Ｎｏ）には、処理がステップＳ８６に移行する。
【０１２５】
次に、信号生成部（Ｗ→Ｅ）１３及び信号生成部（Ｅ→Ｗ）１７は、ホップ数を状態監視制御部１９に対して送信し（ステップＳ８６）、ホップ数を「非監視」状態を示す値に設定する（ステップＳ８７）。
【０１２６】
次に、伝送装置１０の送信部（Ｗ→Ｅ）１４及び送信部（Ｅ→Ｗ）１８における処理の流れについて、図１２に示すフローチャートを参照して説明する。
【０１２７】
まず、送信部（Ｗ→Ｅ）１４及び送信部（Ｅ→Ｗ）１８は、各々、自身の方向と一致する順方向の信号生成部（Ｗ→Ｅ）１３及び信号生成部（Ｅ→Ｗ）１７から監視制御信号を受信する（ステップＳ９１）。また、送信部（Ｗ→Ｅ）１４及び送信部（Ｅ→Ｗ）１８は、各々、自身の方向と不一致となる逆方向の信号生成部（Ｅ→Ｗ）１７及び信号生成部（Ｗ→Ｅ）１３から監視制御信号及び反転フラグを受信する（ステップＳ９２、９３）。
【０１２８】
次に、ステップＳ９４において、ステップＳ９３で受信した反転フラグが「オン」状態であるか否かが判断される。反転フラグが「オン」状態であると判断した場合（ステップＳ９４；Ｙｅｓ）、送信部（Ｗ→Ｅ）１４及び送信部（Ｅ→Ｗ）１８は、逆方向の信号生成部（Ｅ→Ｗ）１７及び信号生成部（Ｗ→Ｅ）１３から受信した監視制御信号を選択する（ステップＳ９５）。一方、反転フラグが「オフ」状態であると判断した場合（ステップＳ９４；Ｎｏ）、送信部（Ｗ→Ｅ）１４及び送信部（Ｅ→Ｗ）１８は、順方向の信号生成部（Ｗ→Ｅ）１３及び信号生成部（Ｅ→Ｗ）１７から受信した監視制御信号を選択する（ステップＳ９６）。
【０１２９】
次に、送信部（Ｗ→Ｅ）１４及び送信部（Ｅ→Ｗ）１８は、ステップＳ９５又はステップＳ９６で選択した監視制御信号を信号のオーバーヘッドに挿入し、伝送路３０に対して送信する（ステップＳ９７）。
【０１３０】
そして、送信部（Ｗ→Ｅ）１４及び送信部（Ｅ→Ｗ）１８は、反転フラグを「オフ」状態に設定し、この反転フラグを、自身の方向に対して逆方向の信号生成部（Ｅ→Ｗ）１７及び信号生成部（Ｗ→Ｅ）１３に対して送信する（ステップＳ９８、Ｓ９９）。
【０１３１】
次に、ネットワークシステム１によるネットワーク監視の処理の流れについて、図６〜図１２に示す各部の処理の流れを参照しながら具体的に説明する。ここでは、図１に示す伝送装置１０Ｂ及び１０Ｃに対して遠隔監視を実施し、伝送装置１０Ｂ及び１０Ｃの監視情報をネットワーク監視装置２０によって定期的に取得する場合を例にとって説明する。
【０１３２】
まず、ネットワークシステム１によるネットワーク監視を実施しない場合について説明する。
【０１３３】
ネットワーク監視を実施しない場合には、ネットワーク監視装置２０に対してオペレータ４０による監視実施ノード数及び監視方向の設定が行われない。従って、ネットワーク監視装置２０における監視実施ノード数及び監視方向は、各々「無効」状態に設定される。
【０１３４】
そのため、ネットワーク監視装置２０は、図６のステップＳ３に示す判断において、「設定なし」と判断し（ステップＳ３；Ｎｏ）、監視開始ノードフラグを「オフ」状態に設定する（ステップＳ５）。
【０１３５】
これにより、ネットワーク監視装置２０は、ステップＳ６に示す判断において、監視開始ノードフラグが「オフ」状態であると判断し（ステップＳ６；Ｎｏ）、ステップＳ７〜ステップＳ１２に示す状態監視制御部１９Ａからの受信処理を行わない。
【０１３６】
次に、伝送装置１０Ｂ及び１０Ｃに対する遠隔監視を実施しない場合、ネットワーク監視装置２０では、状態取得完了フラグが「オフ」状態に設定されている。従って、ネットワーク監視装置２０は、状態取得完了フラグ「オフ」、監視開始ノードフラグ「オフ」、監視実施ノード数「無効」、及び監視方向「無効」を、自身に接続された伝送装置１０Ａの状態監視制御部１９Ａに対して送信する（ステップＳ１３〜ステップＳ１６）。
【０１３７】
状態監視制御部１９Ａは、ネットワーク監視装置２０から状態取得完了フラグ「オフ」、監視開始ノードフラグ「オフ」、監視実施ノード数「無効」、及び監視方向「無効」を受信する（図７のステップＳ２１〜ステップＳ２４）。
【０１３８】
次に、状態監視制御部１９Ａは、ステップＳ２５に示す判断において、監視開始ノードフラグが「オフ」状態から「オン」状態に変化していないと判断する（ステップＳ２５；Ｎｏ）。また、ネットワーク監視装置２０による伝送装置１０Ｂ及び１０Ｃの遠隔監視を実施しない場合、ホップ数カウンタが「無効」状態となっているため、状態監視制御部１９Ａは、ステップＳ２７に示す判断において、ホップ数カウンタが「無効」状態であると判断し（ステップＳ２７；Ｎｏ）、ホップ数カウンタの設定処理を行わない。
【０１３９】
次に、状態監視制御部１９Ａは、監視開始ノードフラグ「オフ」、ホップ数カウンタ「無効」、伝送装置１０Ａの監視情報、及び監視方向「無効」を、信号生成部（Ｗ→Ｅ）１３Ａ及び信号生成部（Ｅ→Ｗ）１７Ａに対して送信する（ステップＳ２９〜ステップＳ３２）。
【０１４０】
次に、状態監視制御部１９Ａは、ステップＳ３３に示す判断において、監視開始ノードフラグが「オフ」状態であると判断し（ステップＳ３３；Ｎｏ）、信号生成部からの受信処理を行わず、状態取得完了フラグ「オフ」をネットワーク監視装置２０に対して送信する（ステップＳ４２）。
【０１４１】
このように、ネットワーク監視を実施しない場合には、状態監視制御部１９Ａからネットワーク監視装置２０に対しては、状態取得完了フラグのみを送信し、ホップ数カウンタ及び監視情報が送信されないため、ネットワーク監視装置２０による伝送装置１０Ｂ及び１０Ｃに対する遠隔監視を行うことができない。
【０１４２】
次に、ネットワークシステム１によるネットワーク監視を実施する場合について説明する。この例では、伝送装置１０Ｂ及び１０Ｃに対する遠隔監視を実施するため、オペレータ４０からネットワーク監視装置２０に対して、監視実施ノード数が「２」に設定されると共に、監視方向が「Ｗ→Ｅ」方向に設定されるものとする。
【０１４３】
ネットワーク監視装置２０は、上述のように、監視実施ノード数「２」及び監視方向「Ｗ→Ｅ」が設定されると（図６のステップＳ１、Ｓ２）、ステップＳ３に示す判断において「設定あり」と判断し（ステップＳ３；Ｙｅｓ）、監視開始ノードフラグを「オン」状態に設定する（ステップＳ４）。
【０１４４】
次に、ネットワーク監視装置２０は、ステップＳ６に示す判断において監視開始ノードフラグが「オン」状態であると判断し（ステップＳ６；Ｙｅｓ）、自身に接続された伝送装置１０Ａの状態監視制御部１９Ａから状態取得完了フラグを受信する（ステップＳ７）。
【０１４５】
ここで、状態取得完了フラグは、信号生成部（Ｅ→Ｗ）１７Ａで取得したホップ数を状態監視制御部１９Ａで収集し、そのホップ数の値が「０」（「応答」状態）である場合に「オン」状態となるものであり、ネットワーク監視を実施した直後は、初期状態として「オフ」状態に設定されている。そのため、ネットワーク監視を実施した直後のステップＳ７において、状態監視制御部１９Ａから受信する状態取得完了フラグは、「オフ」状態となる。
【０１４６】
従って、ネットワーク監視装置２０は、ステップＳ８に示す判断において、状態取得完了フラグが「オフ」状態であると判断し（ステップＳ８；Ｎｏ）、ステップＳ９〜ステップＳ１１に示す状態監視制御部１９Ａからのホップ数カウンタ及び監視情報の受信及び監視情報の表示を行わない。
【０１４７】
次に、ネットワーク監視装置２０は、状態取得完了フラグ「オフ」、監視開始ノードフラグ「オン」、監視実施ノード数「２」、及び監視方向「Ｗ→Ｅ」を、自身に接続された伝送装置１０Ａの状態監視制御部１９Ａに対して送信する（ステップＳ１３〜ステップＳ１６）。
【０１４８】
状態監視制御部１９Ａは、ネットワーク監視装置２０から状態取得完了フラグ「オフ」、監視開始ノードフラグ「オン」、監視実施ノード数「２」、及び監視方向「Ｗ→Ｅ」を受信する（図７のステップＳ２１〜ステップＳ２４）。
【０１４９】
次に、状態監視制御部１９Ａは、ステップＳ２５に示す判断において、監視開始ノードフラグが「オフ」状態から「オン」状態に変化したと判断し（ステップＳ２５；Ｙｅｓ）、ホップ数カウンタに対して有効値である値「１」を設定する（ステップＳ２６）。また、状態監視制御部１９Ａは、ステップＳ２７に示す判断において、ホップ数カウンタの値が「１」であることから、ホップ数カウンタ「１」が監視実施ノード数「２」よりも小さいと判断する（ステップＳ２７；Ｎｏ）。
【０１５０】
そして、状態監視制御部１９Ａは、監視開始ノードフラグ「オン」、ホップ数カウンタ「１」、伝送装置１０Ａの監視情報、及び監視方向「Ｗ→Ｅ」を、信号生成部（Ｗ→Ｅ）１３Ａ及び信号生成部（Ｅ→Ｗ）１７Ａに対して送信する（ステップＳ２９〜ステップＳ３２）。
【０１５１】
次に、状態監視制御部１９Ａは、ステップＳ３３に示す判断において、監視開始ノードフラグが「オン」状態であると判断する（ステップＳ３３；Ｙｅｓ）と共に、ステップＳ３４に示す判断において、状態取得完了フラグが「オフ」状態であると判断する（ステップＳ３４；Ｙｅｓ）。
【０１５２】
そして、状態監視制御部１９Ａは、監視方向が示す方向に対して逆方向の信号生成部（Ｅ→Ｗ）１７Ａから、「非監視」状態を示す、監視実施ノード数より大きい値が初期値として設定されたホップ数と、伝送装置１０Ｂからの監視情報を受信する（ステップＳ３５、Ｓ３６）。
【０１５３】
次に、状態監視制御部１９Ａは、ステップＳ３７に示す判断において、信号生成部（Ｅ→Ｗ）１７Ａから受信したホップ数が「０」（「応答」状態）ではないと判断し（ステップＳ３７；Ｎｏ）、状態取得完了フラグ「オフ」をネットワーク監視装置２０に対して送信する（ステップＳ４２）。
【０１５４】
信号生成部（Ｗ→Ｅ）１３Ａは、状態監視制御部１９Ａから監視開始ノードフラグ「オン」、ホップ数カウンタ「１」、伝送装置１０Ａの監視情報、及び監視方向「Ｗ→Ｅ」を受信する（図８のステップＳ５１〜ステップＳ５４）。
【０１５５】
また、信号生成部（Ｗ→Ｅ）１３Ａは、信号抽出部（Ｗ→Ｅ）１２Ａから「非監視」状態を示す値が初期値として設定されたホップ数と、前段の監視情報とを受信する（ステップＳ５５、Ｓ５６）。
【０１５６】
さらに、信号生成部（Ｗ→Ｅ）１３Ａは、自身の方向に対して逆方向の送信部（Ｅ→Ｗ）１８Ａから、初期値として「オフ」状態が設定された反転フラグを受信する（ステップＳ５７）。
【０１５７】
そして、信号生成部（Ｗ→Ｅ）１３Ａは、ステップＳ５８に示す判断において、ホップ数が「１」（「監視対象」状態）ではないと判断し（ステップＳ５８；Ｎｏ）、信号抽出部（Ｗ→Ｅ）１２Ａから受信した前段の監視情報を選択する（ステップＳ６０）。
【０１５８】
また、信号生成部（Ｗ→Ｅ）１３Ａは、図９のステップＳ６１に示す判断において、監視開始ノードフラグが「オン」状態であると判断する（ステップＳ６１；Ｙｅｓ）と共に、ステップＳ６２に示す判断において、自身の方向が監視方向が示す方向と一致すると判断し（ステップＳ６２；Ｙｅｓ）、状態監視制御部１９Ａから受信したホップ数カウンタ「１」を選択する（ステップＳ６３）。
【０１５９】
次に、信号生成部（Ｗ→Ｅ）１３Ａは、ステップＳ６４に示す判断において、前回取得したホップ数カウンタが「無効」を示す値であるのに対して、今回取得したホップ数カウンタの値が「１」であることから、２つのホップ数カウンタの値が一致しないと判断し（ステップＳ６４；Ｙｅｓ）、ホップ数カウンタの値「１」をホップ数に設定する（ステップＳ６５）。
【０１６０】
次に、信号生成部（Ｗ→Ｅ）１３Ａは、図１０のステップＳ７３に示す判断において、図８のステップＳ５１で受信した監視開始ノードフラグが「オン」状態であると判断する（ステップＳ７３；Ｙｅｓ）と共に、ステップＳ７４に示す判断において、自身の方向が監視方向と一致すると判断し（ステップＳ７４；Ｎｏ）、図９のステップＳ６５で設定したホップ数「１」と、ステップＳ６０で選択した前段の監視情報とに基づき、監視制御信号を生成する（ステップＳ７７）。
【０１６１】
そして、信号生成部（Ｗ→Ｅ）１３Ａは、ステップＳ７８に示す判断において、逆方向の送信部（Ｅ→Ｗ）１８Ａから受信した反転フラグが「オフ」状態であると判断し（ステップＳ７８；Ｎｏ）、順方向の送信部（Ｗ→Ｅ）１４Ａに対して監視制御信号を送信する（ステップＳ８０）と共に、逆方向の送信部（Ｅ→Ｗ）１８Ａに対して反転フラグ「オフ」を送信する（ステップＳ８１）。
【０１６２】
次に、信号生成部（Ｗ→Ｅ）１３Ａは、図１１のステップＳ８２に示す判断において、図８のステップＳ５１で受信した監視開始ノードフラグが「オン」状態であると判断する（ステップＳ８２；Ｙｅｓ）と共に、ステップＳ８３に示す判断において、自身の方向が監視方向と一致すると判断する（ステップＳ８３；Ｎｏ）。
【０１６３】
そのため、信号生成部（Ｗ→Ｅ）１３Ａは、状態監視制御部１９Ａに対して監視情報を送信せずに、ホップ数「１」のみを状態監視制御部１９Ａに送信し（ステップＳ８６）、ホップ数を「非監視」状態を示す値に設定する（ステップＳ８７）。
【０１６４】
一方、信号生成部（Ｅ→Ｗ）１７Ａは、状態監視制御部１９Ａから監視開始ノードフラグ「オン」、ホップ数カウンタ「１」、伝送装置１０Ａの監視情報、及び監視方向「Ｗ→Ｅ」を受信する（図８のステップＳ５１〜ステップＳ５４）。
【０１６５】
また、信号生成部（Ｅ→Ｗ）１７Ａは、信号抽出部（Ｅ→Ｗ）１６Ａから「非監視」状態を示す値が初期値として設定されたホップ数と、伝送装置１０Ｂの監視情報とを受信する（ステップＳ５５、Ｓ５６）。
【０１６６】
さらに、信号生成部（Ｅ→Ｗ）１７Ａは、自身の方向に対して逆方向の送信部（Ｗ→Ｅ）１４Ａから、初期値として「オフ」状態が設定された反転フラグを受信する（ステップＳ５７）。
【０１６７】
そして、信号生成部（Ｅ→Ｗ）１７Ａは、ステップＳ５８に示す判断において、ホップ数が「１」（「監視対象」状態）ではないと判断し（ステップＳ５８；Ｎｏ）、信号抽出部（Ｅ→Ｗ）１６Ａから受信した伝送装置１０Ｂの監視情報を選択する（ステップＳ６０）。
【０１６８】
また、信号生成部（Ｅ→Ｗ）１７Ａは、図９のステップＳ６１に示す判断において、監視開始ノードフラグが「オン」状態であると判断する（ステップＳ６１；Ｙｅｓ）と共に、ステップＳ６２に示す判断において、自身の方向が監視方向が示す方向と不一致であると判断し（ステップＳ６２；Ｎｏ）、信号抽出部（Ｅ→Ｗ）１６Ａから受信したホップ数（「非監視」状態）を選択する（ステップＳ６６）。
【０１６９】
次に、信号生成部（Ｅ→Ｗ）１７Ａは、ステップＳ６７に示す判断において、ホップ数が「中継段数」状態又は「監視対象」状態ではないと判断し（ステップＳ６７；Ｎｏ）、反転フラグを「オフ」状態に設定する（ステップＳ７２）。
【０１７０】
次に、信号生成部（Ｅ→Ｗ）１７Ａは、図１０のステップＳ７３に示す判断において、図８のステップＳ５１で受信した監視開始ノードフラグが「オン」状態であると判断する（ステップＳ７３；Ｙｅｓ）と共に、ステップＳ７４に示す判断において、自身の方向が監視方向と不一致であると判断する（ステップＳ７４；Ｙｅｓ）。
【０１７１】
そして、信号生成部（Ｅ→Ｗ）１７Ａは、監視制御信号用のホップ数を「非監視」状態を示す値に設定する（ステップＳ７５）と共に、監視制御信号用の監視情報を「無効値」に設定し（ステップＳ７６）、ホップ数「非監視」及び監視情報「無効値」に基づき、監視制御信号を生成する（ステップＳ７７）。
【０１７２】
次に、信号生成部（Ｅ→Ｗ）１７Ａは、ステップＳ７８に示す判断において、図９のステップＳ７２で設定した反転フラグが「オフ」状態であると判断し（ステップＳ７８；Ｎｏ）、順方向の送信部（Ｅ→Ｗ）１８Ａに対して監視制御信号を送信する（ステップＳ８０）と共に、逆方向の送信部（Ｗ→Ｅ）１４Ａに対して反転フラグ「オフ」を送信する（ステップＳ８１）。
【０１７３】
次に、信号生成部（Ｅ→Ｗ）１７Ａは、図１１のステップＳ８２に示す判断において、図８のステップＳ５１で受信した監視開始ノードフラグが「オン」状態であると判断する（ステップＳ８２；Ｙｅｓ）と共に、ステップＳ８３に示す判断において、自身の方向が監視方向と不一致であると判断する（ステップＳ８３；Ｙｅｓ）。
【０１７４】
また、信号生成部（Ｅ→Ｗ）１７Ａは、ステップＳ８４に示す判断において、図９のステップＳ６６で選択したホップ数が「非監視」状態を示す値であることから、ホップ数の値が「０」（「応答」状態）ではないと判断し（ステップＳ８４；Ｎｏ）、状態監視制御部１９Ａに対して「非監視」状態を示すホップ数を送信し（ステップＳ８６）、ホップ数を「非監視」状態を示す値に設定する（ステップＳ８７）。
【０１７５】
送信部（Ｗ→Ｅ）１４Ａは、順方向の信号生成部（Ｗ→Ｅ）１３Ａから監視制御信号を受信する（図１２のステップＳ９１）と共に、逆方向の信号生成部（Ｅ→Ｗ）１７Ａから監視制御信号及び反転フラグ「オフ」を受信する（ステップＳ９２、Ｓ９３）。
【０１７６】
次に、送信部（Ｗ→Ｅ）１４Ａは、ステップＳ９４に示す判断において、反転フラグが「オフ」状態であると判断し（ステップＳ９４；Ｙｅｓ）、順方向の信号生成部（Ｗ→Ｅ）１３Ａから受信した監視制御信号を選択する（ステップＳ９６）。
【０１７７】
そして、送信部（Ｗ→Ｅ）１４Ａは、選択した監視制御信号を信号のオーバーヘッドに挿入し、伝送路３０Ｃに送信する（ステップＳ９７）。その後、送信部（Ｗ→Ｅ）１４Ａは、反転フラグを「オフ」状態に設定し、逆方向の信号生成部（Ｅ→Ｗ）１７Ａに対して送信する（ステップＳ９８、Ｓ９９）。
【０１７８】
一方、送信部（Ｅ→Ｗ）１８Ａは、順方向の信号生成部（Ｅ→Ｗ）１７Ａから監視制御信号を受信する（図１２のステップＳ９１）と共に、逆方向の信号生成部（Ｗ→Ｅ）１３Ａから監視制御信号及び反転フラグ「オフ」を受信する（ステップＳ９２、Ｓ９３）。
【０１７９】
次に、送信部（Ｅ→Ｗ）１８Ａは、ステップＳ９４に示す判断において、反転フラグが「オフ」状態であると判断し（ステップＳ９４；Ｎｏ）、順方向の信号生成部（Ｅ→Ｗ）１７Ａから受信した監視制御信号を選択する（ステップＳ９６）。
【０１８０】
そして、送信部（Ｅ→Ｗ）１８Ａは、選択した監視制御信号を信号のオーバーヘッドに挿入し、伝送路３０Ｂに送信する（ステップＳ９７）。その後、送信部（Ｅ→Ｗ）１８Ａは、反転フラグを「オフ」状態に設定し、逆方向の信号生成部（Ｗ→Ｅ）１３Ａに対して送信する（ステップＳ９８、Ｓ９９）。
【０１８１】
伝送装置１０Ｂの受信部（Ｗ→Ｅ）１１Ｂは、伝送路３０Ｃから信号を受信し、受信した信号からオーバーヘッド信号を抽出する。そして、受信部（Ｗ→Ｅ）１１Ｂは、抽出したオーバーヘッド信号を信号抽出部（Ｗ→Ｅ）１２Ｂに対して送信する。
【０１８２】
信号抽出部（Ｗ→Ｅ）１２Ｂは、受信部（Ｗ→Ｅ）１１Ｂからオーバーヘッド信号を受信し、受信したオーバーヘッド信号から、上述したホップ数「１」及び前段の監視情報を抽出する。そして、信号抽出部（Ｗ→Ｅ）１２Ｂは、抽出したホップ数「１」及び前段の監視情報を信号生成部（Ｗ→Ｅ）１３Ｂに送信する。
【０１８３】
信号生成部（Ｗ→Ｅ）１３Ｂは、状態監視制御部１９Ｂから監視開始ノードフラグ「オフ」、ホップ数カウンタ「無効」、伝送装置１０Ｂの監視情報、及び監視方向「無効」を受信する（図８のステップＳ５１〜ステップＳ５４）。
【０１８４】
また、信号生成部（Ｗ→Ｅ）１３Ｂは、信号抽出部（Ｗ→Ｅ）１２Ｂからホップ数「１」及び前段の監視情報とを受信する（ステップＳ５５、Ｓ５６）。
【０１８５】
さらに、信号生成部（Ｗ→Ｅ）１３Ｂは、自身の方向に対して逆方向の送信部（Ｅ→Ｗ）１８Ｂから、初期値として「オフ」状態が設定された反転フラグを受信する（ステップＳ５７）。
【０１８６】
そして、信号生成部（Ｗ→Ｅ）１３Ｂは、ステップＳ５８に示す判断において、ホップ数が「１」（「監視対象」状態）であると判断し（ステップＳ５８；Ｙｅｓ）、状態監視制御部１９Ｂから受信した伝送装置１０Ｂの監視情報を選択する（ステップＳ５９）。
【０１８７】
また、信号生成部（Ｗ→Ｅ）１３Ｂは、図９のステップＳ６１に示す判断において、監視開始ノードフラグが「オフ」状態であると判断し（ステップＳ６１；Ｎｏ）、図８のステップＳ５６で抽出したホップ数「１」を選択する（ステップＳ６６）。
【０１８８】
次に、信号生成部（Ｗ→Ｅ）１３Ｂは、ステップＳ６７に示す判断において、選択したホップ数が「中継段数」状態又は「監視対象」状態を示す値であると判断する（ステップＳ６７；Ｙｅｓ）。また、信号生成部（Ｗ→Ｅ）１３Ｂは、ステップＳ６８に示す判断において、選択したホップ数が「監視対象」状態を示す値であると判断する（ステップＳ６８；Ｙｅｓ）。そして、信号生成部（Ｗ→Ｅ）１３Ｂは、反転フラグを「オン」状態に設定する（ステップＳ６９）と共に、ホップ数をデクリメントし、値「０」に設定する（ステップＳ７０）。
【０１８９】
次に、信号生成部（Ｗ→Ｅ）１３Ｂは、図１０のステップＳ７３に示す判断において、図８のステップＳ５１で受信した監視開始ノードフラグが「オフ」状態であると判断し（ステップＳ７３；Ｎｏ）、図９のステップＳ７０でデクリメントしたホップ数「０」と、ステップＳ５９で選択した伝送装置１０Ｂの監視情報とに基づき、監視制御信号を生成する（ステップＳ７７）。
【０１９０】
そして、信号生成部（Ｗ→Ｅ）１３Ｂは、ステップＳ７８に示す判断において、逆方向の送信部（Ｅ→Ｗ）１８Ａから受信した反転フラグが「オン」状態であると判断し（ステップＳ７８；Ｙｅｓ）、逆方向の送信部（Ｅ→Ｗ）１８Ｂに対して監視制御信号を送信する（ステップＳ７９）と共に、反転フラグ「オン」を送信する（ステップＳ８１）。
【０１９１】
次に、信号生成部（Ｗ→Ｅ）１３Ｂは、図１１のステップＳ８２に示す判断において、図８のステップＳ５１で受信した監視開始ノードフラグが「オフ」状態であると判断し（ステップＳ８２；Ｎｏ）、状態監視制御部１９Ｂに対してホップ数「０」を送信し（ステップＳ８６）、ホップ数を「非監視」状態を示す値に設定する（ステップＳ８７）。
【０１９２】
送信部（Ｅ→Ｗ）１８Ｂは、順方向の信号生成部（Ｅ→Ｗ）１７Ｂから監視制御信号を受信する（図１２のステップＳ９１）と共に、逆方向の信号生成部（Ｗ→Ｅ）１３Ｂから監視制御信号及び反転フラグ「オン」を受信する（ステップＳ９２、Ｓ９３）。
【０１９３】
次に、送信部（Ｅ→Ｗ）１８Ｂは、ステップＳ９４に示す判断において、反転フラグが「オン」状態であると判断し（ステップＳ９４；Ｙｅｓ）、逆方向の信号生成部（Ｗ→Ｅ）１３Ｂから受信した監視制御信号を選択する（ステップＳ９５）。
【０１９４】
そして、送信部（Ｅ→Ｗ）１８Ｂは、選択した監視制御信号を信号のオーバーヘッドに挿入し、伝送路３０Ｄに送信する（ステップＳ９７）。その後、送信部（Ｅ→Ｗ）１８Ｂは、反転フラグを「オフ」状態に設定し、逆方向の信号生成部（Ｗ→Ｅ）１３Ｂに対して送信する（ステップＳ９８、Ｓ９９）。
【０１９５】
伝送装置１０Ａの受信部（Ｅ→Ｗ）１５Ａは、伝送路３０Ｄから信号を受信し、受信した信号からオーバーヘッド信号を抽出する。そして、受信部（Ｅ→Ｗ）１５Ａは、抽出したオーバーヘッド信号を信号抽出部（Ｅ→Ｗ）１６Ａに対して送信する。
【０１９６】
信号抽出部（Ｅ→Ｗ）１６Ａは、受信部（Ｅ→Ｗ）１５Ａからオーバーヘッド信号を受信し、受信したオーバーヘッド信号から、上述したホップ数「０」及び伝送装置１０Ｂの監視情報を抽出する。そして、信号抽出部（Ｅ→Ｗ）１６Ａは、抽出したホップ数「０」及び伝送装置１０Ｂの監視情報を信号生成部（Ｅ→Ｗ）１７Ａに送信する。
【０１９７】
信号生成部（Ｅ→Ｗ）１７Ａは、状態監視制御部１９Ａから監視開始ノードフラグ「オン」、ホップ数カウンタ「１」、伝送装置１０Ａの監視情報、及び監視方向「Ｗ→Ｅ」を受信する（図８のステップＳ５１〜ステップＳ５４）。
【０１９８】
また、信号生成部（Ｅ→Ｗ）１７Ａは、信号抽出部（Ｅ→Ｗ）１６Ａからホップ数「０」及び伝送装置１０Ｂの監視情報とを受信する（ステップＳ５５、Ｓ５６）。
【０１９９】
さらに、信号生成部（Ｅ→Ｗ）１７Ａは、自身の方向に対して逆方向の送信部（Ｗ→Ｅ）１４Ａから、初期値として「オフ」状態が設定された反転フラグを受信する（ステップＳ５７）。
【０２００】
そして、信号生成部（Ｅ→Ｗ）１７Ａは、ステップＳ５８に示す判断において、ホップ数が「０」（「応答」状態）であることから、ホップ数が「１」（「監視対象」状態）ではないと判断し（ステップＳ５８；Ｎｏ）、信号抽出部（Ｅ→Ｗ）１６Ａから受信した伝送装置１０Ｂの監視情報を選択する（ステップＳ６０）。
【０２０１】
また、信号生成部（Ｅ→Ｗ）１７Ａは、図９のステップＳ６１に示す判断において、監視開始ノードフラグが「オン」状態であると判断する（ステップＳ６１；Ｙｅｓ）と共に、ステップＳ６２に示す判断において、自身の方向が監視方向が示す方向と不一致であると判断し（ステップＳ６２；Ｎｏ）、信号抽出部（Ｅ→Ｗ）１６Ａから受信したホップ数「０」（「応答」状態）を選択する（ステップＳ６６）。
【０２０２】
次に、信号生成部（Ｅ→Ｗ）１７Ａは、ステップＳ６７に示す判断において、ホップ数が「中継段数」状態又は「監視対象」状態ではないと判断し（ステップＳ６７；Ｎｏ）、反転フラグを「オフ」状態に設定する（ステップＳ７２）。
【０２０３】
次に、信号生成部（Ｅ→Ｗ）１７Ａは、図１０のステップＳ７３に示す判断において、図８のステップＳ５１で受信した監視開始ノードフラグが「オン」状態であると判断する（ステップＳ７３；Ｙｅｓ）と共に、ステップＳ７４に示す判断において、自身の方向が監視方向と不一致であると判断する（ステップＳ７４；Ｙｅｓ）。
【０２０４】
そして、信号生成部（Ｅ→Ｗ）１７Ａは、監視制御信号用のホップ数を「非監視」状態を示す値に設定する（ステップＳ７５）と共に、監視制御信号用の監視情報を「無効値」に設定し（ステップＳ７６）、ホップ数「非監視」及び監視情報「無効値」に基づき、監視制御信号を生成する（ステップＳ７７）。
【０２０５】
次に、信号生成部（Ｅ→Ｗ）１７Ａは、ステップＳ７８に示す判断において、図９のステップＳ７２で設定した反転フラグが「オフ」状態であると判断し（ステップＳ７８；Ｎｏ）、順方向の送信部（Ｅ→Ｗ）１８Ａに対して監視制御信号を送信する（ステップＳ８０）と共に、逆方向の送信部（Ｗ→Ｅ）１４Ａに対して反転フラグ「オフ」を送信する（ステップＳ８１）。
【０２０６】
次に、信号生成部（Ｅ→Ｗ）１７Ａは、図１１のステップＳ８２に示す判断において、図８のステップＳ５１で受信した監視開始ノードフラグが「オン」状態であると判断する（ステップＳ８２；Ｙｅｓ）と共に、ステップＳ８３に示す判断において、自身の方向が監視方向と不一致であると判断する（ステップＳ８３；Ｙｅｓ）。
【０２０７】
また、信号生成部（Ｅ→Ｗ）１７Ａは、ステップＳ８４に示す判断において、図９のステップＳ６６で選択したホップ数が「０」（「応答」状態）であることから、ホップ数の値が「０」（「応答」状態）であると判断する（ステップＳ８４；Ｙｅｓ）。
【０２０８】
そして、信号生成部（Ｅ→Ｗ）１７Ａは、図８のステップＳ６０で選択した伝送装置１０Ｂの監視情報及びホップ数「０」（「応答」状態）を状態監視制御部１９Ａに対して送信し（ステップＳ８５、Ｓ８６）、ホップ数を「非監視」状態を示す値に設定する（ステップＳ８７）。
【０２０９】
状態監視制御部１９Ａは、ネットワーク監視装置２０から状態取得完了フラグ「オフ」、監視開始ノードフラグ「オン」、監視実施ノード数「２」、及び監視方向「Ｗ→Ｅ」を受信する（図７のステップＳ２１〜ステップＳ２４）。
【０２１０】
次に、状態監視制御部１９Ａは、ステップＳ２５に示す判断において、監視開始ノードフラグが「オフ」状態から「オン」状態に変化していないと判断する（ステップＳ２５；Ｎｏ）と共に、ステップＳ２７に示す判断において、ホップ数カウンタの値が「１」であることから、」が監視実施ノード数「２」よりも小さいと判断する（ステップＳ２７；Ｎｏ）。
【０２１１】
そして、状態監視制御部１９Ａは、監視開始ノードフラグ「オン」、ホップ数カウンタ「１」、伝送装置１０Ａの監視情報、及び監視方向「Ｗ→Ｅ」を、信号生成部（Ｗ→Ｅ）１３Ａ及び信号生成部（Ｅ→Ｗ）１７Ａに対して送信する（ステップＳ２９〜ステップＳ３２）。
【０２１２】
次に、状態監視制御部１９Ａは、ステップＳ３３に示す判断において、監視開始ノードフラグが「オン」状態であると判断する（ステップＳ３３；Ｙｅｓ）と共に、ステップＳ３４に示す判断において、状態取得完了フラグが「オフ」状態であると判断する（ステップＳ３４；Ｙｅｓ）。
【０２１３】
そして、状態監視制御部１９Ａは、監視方向が示す方向に対して逆方向の信号生成部（Ｅ→Ｗ）１７Ａから、ホップ数「０」（「応答」状態）及び伝送装置１０Ｂの監視情報を受信する（ステップＳ３５、Ｓ３６）。
【０２１４】
次に、状態監視制御部１９Ａは、ステップＳ３７に示す判断において、信号生成部（Ｅ→Ｗ）１７Ａから受信したホップ数が「０」（「応答」状態）であると判断し（ステップＳ３７；Ｙｅｓ）、ネットワーク監視装置２０に対して、ホップ数カウンタ「１」及び伝送装置１０Ｂの監視情報を送信する（ステップＳ３８、Ｓ３９）。
【０２１５】
また、状態監視制御部１９Ａは、ホップ数カウンタの値をインクリメントして値「２」に設定する（ステップＳ４０）と共に、状態取得完了フラグを「オン」状態に設定し（ステップＳ４１）、状態取得完了フラグ「オン」をネットワーク監視装置２０に対して送信する（ステップＳ４２）。
【０２１６】
ネットワーク監視装置２０は、上述のように、監視実施ノード数「２」及び監視方向「Ｗ→Ｅ」が設定され（図６のステップＳ１、Ｓ２）、ステップＳ３に示す判断において「設定あり」と判断し（ステップＳ３；Ｙｅｓ）、監視開始ノードフラグを「オン」状態に設定する（ステップＳ４）。
【０２１７】
次に、ネットワーク監視装置２０は、ステップＳ６に示す判断において監視開始ノードフラグが「オン」状態であると判断し（ステップＳ６；Ｙｅｓ）、自身に接続された伝送装置１０Ａの状態監視制御部１９Ａから状態取得完了フラグ「オン」を受信する（ステップＳ７）。
【０２１８】
ネットワーク監視装置２０は、ステップＳ８に示す判断において、状態取得完了フラグが「オン」状態であると判断し（ステップＳ８；Ｙｅｓ）、状態監視制御部１９Ａからホップ数カウンタ「１」及び伝送装置１０Ｂの監視情報を受信する（ステップＳ９、Ｓ１０）。
【０２１９】
そして、ネットワーク監視装置２０は、ステップＳ９で受信したホップ数カウンタが示す値に対応する伝送装置を監視対象ノードとして、ステップＳ１０で受信した監視情報を表示部に表示させる。すなわち、この例において、ネットワーク監視装置２０は、伝送装置１０Ｂを監視対象ノードとして、伝送装置１０Ｂの監視情報を表示部に表示させる。
【０２２０】
また、ネットワーク監視装置２０は、状態取得完了フラグを「オフ」状態に設定する（ステップＳ１２）。
【０２２１】
次に、ネットワーク監視装置２０は、状態取得完了フラグ「オフ」、監視開始ノードフラグ「オン」、監視実施ノード数「２」、及び監視方向「Ｗ→Ｅ」を、自身に接続された伝送装置１０Ａの状態監視制御部１９Ａに対して送信する（ステップＳ１３〜ステップＳ１６）。
【０２２２】
状態監視制御部１９Ａは、ネットワーク監視装置２０から状態取得完了フラグ「オフ」、監視開始ノードフラグ「オン」、監視実施ノード数「２」、及び監視方向「Ｗ→Ｅ」を受信する（図７のステップＳ２１〜ステップＳ２４）。
【０２２３】
次に、状態監視制御部１９Ａは、ステップＳ２５に示す判断において、監視開始ノードフラグが「オフ」状態から「オン」状態に変化していないと判断する（ステップＳ２５；Ｎｏ）と共に、ステップＳ２７に示す判断において、前回のポーリングでインクリメントされたホップ数カウンタの値が「２」であることから、ホップ数カウンタ「２」が監視実施ノード数「２」よりも大きくないと判断する（ステップＳ２７；Ｎｏ）。
【０２２４】
そして、状態監視制御部１９Ａは、監視開始ノードフラグ「オン」、ホップ数カウンタ「２」、伝送装置１０Ａの監視情報、及び監視方向「Ｗ→Ｅ」を、信号生成部（Ｗ→Ｅ）１３Ａ及び信号生成部（Ｅ→Ｗ）１７Ａに対して送信する（ステップＳ２９〜ステップＳ３２）。
【０２２５】
次に、状態監視制御部１９Ａは、ステップＳ３３に示す判断において、監視開始ノードフラグが「オン」状態であると判断する（ステップＳ３３；Ｙｅｓ）と共に、ステップＳ３４に示す判断において、状態取得完了フラグが「オフ」状態であると判断する（ステップＳ３４；Ｙｅｓ）。
【０２２６】
そして、状態監視制御部１９Ａは、監視方向が示す方向に対して逆方向の信号生成部（Ｅ→Ｗ）１７Ａから、「非監視」状態を示すホップ数と、伝送装置１０Ｂの監視情報を受信する（ステップＳ３５、Ｓ３６）。
【０２２７】
次に、状態監視制御部１９Ａは、ステップＳ３７に示す判断において、信号生成部（Ｅ→Ｗ）１７Ａから受信したホップ数が「０」（「応答」状態）ではないと判断し（ステップＳ３７；Ｎｏ）、状態取得完了フラグ「オフ」をネットワーク監視装置２０に対して送信する（ステップＳ４２）。
【０２２８】
以上のように、上述した動作を繰り返すことにより、設定された監視対象ノード（この例では、伝送装置１０Ｂ及び１０Ｃ）の監視情報を定期的に取得し、ネットワーク監視装置２０の表示部に表示させることができる。
【０２２９】
以上のように、本実施の形態によれば、直列的に接続された複数の伝送装置に対して、主信号と共にホップ数を伝送し、このホップ数に基づき、自装置が監視対象であるか否かを判断する。そして、自装置が監視対象であると判断した場合には、自装置で収集した監視情報を、ネットワーク監視装置に接続された伝送装置に対して送信し、自装置が監視対象でないと判断した場合には、ホップ数をデクリメントして次段の伝送装置に対して送信する。そのため、ネットワーク監視装置では、監視対象ノードの監視情報を適切に受信して表示させることができる。そして、ネットワーク上に設けられたすべての伝送装置をインバンドで遠隔監視すると共に、ネットワーク監視装置に対しては、１台の伝送装置のみ直接的に接続すればよいので、監視用の網敷設におけるコストを削減することが可能になる。
【０２３０】
また、ネットワーク監視装置では、監視対象ノードの監視情報を受信した際に、ホップ数カウンタの値をインクリメントするため、次の監視対象ノードからの監視情報を受信することができる。
【０２３１】
さらに、ネットワーク監視装置では、ホップ数カウンタの値が監視実施ノード数を超えた場合に、ホップ数カウンタの値を「１」に戻すため、監視対象ノードからの監視情報を定期的に順次収集することができる。
【０２３２】
以上、本発明の実施の形態について説明したが、本発明は、上述した本発明の実施の形態に限定されるものではなく、本発明の要旨を逸脱しない範囲内で様々な変形や応用が可能である。例えば、図１３に示すように、複数の伝送装置１０、１０、・・・の代わりに無線通信によって信号を伝送する複数の無線装置５０Ａ、５０Ｂ、・・・、５０Ｄを用い、１つの無線装置にネットワーク監視装置２０を接続してネットワークシステム１’を構成してもよい。
【符号の説明】
【０２３３】
１、１’  ネットワークシステム
１０（１０Ａ、１０Ｂ、１０Ｃ）  伝送装置
１１（１１Ａ、１１Ｂ、１１Ｃ）  受信部（Ｗ→Ｅ）
１２（１２Ａ、１２Ｂ、１２Ｃ）  信号抽出部（Ｗ→Ｅ）
１３（１３Ａ、１３Ｂ、１３Ｃ）  信号生成部（Ｗ→Ｅ）
１４（１４Ａ、１４Ｂ、１４Ｃ）  送信部（Ｗ→Ｅ）
１５（１５Ａ、１５Ｂ、１５Ｃ）  受信部（Ｅ→Ｗ）
１６（１６Ａ、１６Ｂ、１６Ｃ）  信号抽出部（Ｅ→Ｗ）
１７（１７Ａ、１７Ｂ、１７Ｃ）  信号生成部（Ｅ→Ｗ）
１８（１８Ａ、１８Ｂ、１８Ｃ）  送信部（Ｅ→Ｗ）
１９（１９Ａ、１９Ｂ、１９Ｃ）  状態監視制御部
２０  ネットワーク監視装置
３０（３０Ａ、３０Ｂ、３０Ｃ、３０Ｄ、３０Ｅ、３０Ｆ、３０Ｇ、３０Ｈ）  伝送路
４０  オペレータ
５０（５０Ａ、５０Ｂ、５０Ｃ、５０Ｄ）  無線装置
【図１】
2014121029.tif 000003
【図２】
2014121029.tif 000004
【図３】
2014121029.tif 000005
【図４】
2014121029.tif 000006
【図５】
2014121029.tif 000007
【図６】
2014121029.tif 000008
【図７】
2014121029.tif 000009
【図８】
2014121029.tif 000010
【図９】
2014121029.tif 000011
【図１０】
2014121029.tif 000012
【図１１】
2014121029.tif 000013
【図１２】
2014121029.tif 000014
【図１３】
2014121029.tif 000015
【図１４】
2014121029.tif 000016
【図１５】
2014121029.tif 000017
【図１６】
2014121029.tif 000018